(57)【特許請求の範囲】
【請求項１】
動画像の場面の切り換え、および前記動画像に同期している第１の音声の場面の切り換えを検出する検出手段と、
前記動画像または前記第１の音声の場面の切り換えが検出された場合、切り換えられた場面に対応する前記動画像を基に、静止画像を生成する静止画像生成手段と、
前記動画像の開始時刻を基準とした、前記動画像における相対時刻であって、前記静止画像生成手段により生成された前記静止画像の前記相対時刻を示す相対時刻データを生成する相対時刻生成手段と、
前記動画像および前記第１の音声を多重化する多重化手段と、
多重化された前記動画像および前記第１の音声、前記静止画像、前記相対時刻データ、並びに前記静止画像のための第２の音声の記録媒体への記録を制御する記録制御手段と
を含むことを特徴とする記録装置。
【請求項２】
前記第１の音声をコピーすることにより、前記第２の音声を生成する音声生成手段をさらに含む
ことを特徴とする請求項１に記載の記録装置。
【請求項３】
動画像の場面の切り換え、および前記動画像に同期している第１の音声の場面の切り換えを検出する検出ステップと、
前記動画像または前記第１の音声の場面の切り換えが検出された場合、切り換えられた場面に対応する前記動画像を基に、静止画像を生成する静止画像生成ステップと、
前記動画像の開始時刻を基準とした、前記動画像における相対時刻であって、前記静止画像生成ステップの処理により生成された前記静止画像の前記相対時刻を示す相対時刻データを生成する相対時刻生成ステップと、
前記動画像および前記第１の音声を多重化する多重化ステップと、
多重化された前記動画像および前記第１の音声、前記静止画像、前記相対時刻データ、並びに前記静止画像のための第２の音声の記録媒体への記録を制御する記録制御ステップと
を含むことを特徴とする記録方法。
【請求項４】
動画像の場面の切り換え、および前記動画像に同期している第１の音声の場面の切り換えを検出する検出ステップと、
前記動画像または前記第１の音声の場面の切り換えが検出された場合、切り換えられた場面に対応する前記動画像を基に、静止画像を生成する静止画像生成ステップと、
前記動画像の開始時刻を基準とした、前記動画像における相対時刻であって、前記静止画像生成ステップの処理により生成された前記静止画像の前記相対時刻を示す相対時刻データを生成する相対時刻生成ステップと、
前記動画像および前記第１の音声を多重化する多重化ステップと、
多重化された前記動画像および前記第１の音声、前記静止画像、前記相対時刻データ、並びに前記静止画像のための第２の音声の記録媒体への記録を制御する記録制御ステップと
を含む処理をコンピュータに実行させるプログラム。
【請求項５】
動画像および静止画像のうちの選択された方を表示する表示装置において、
記録媒体に記録されている、多重化されている前記動画像および前記動画像に同期している第１の音声、前記動画像若しくは前記第１の音声における場面の切り換えに対応する前記静止画像、前記静止画像に対応する第２の音声、または前記動画像の開始時刻を基準とした、前記静止画像の相対時刻を示す相対時刻データの読み出しを制御する読み出し制御手段と、
前記動画像を表示する場合、前記動画像を連続して表示させ、前記静止画像を表示する場合、対応する前記相対時刻データを基に、前記静止画像を、次の前記静止画像が対応する前記相対時刻がくるまでの時間、表示する動作を繰り返すことで、前記静止画像を順次表示させるように、表示を制御する表示制御手段と、
前記動画像を表示する場合、前記第１の音声を出力させ、前記静止画像を表示する場合、前記第２の音声を出力させるように、音声の出力を制御する出力制御手段と
を含むことを特徴とする表示装置。
【請求項６】
バッテリの残量を基に、前記静止画像を表示するか否かを判定する判定手段をさらに含む
ことを特徴とする請求項５に記載の表示装置。
【請求項７】
動画像および静止画像のうちの選択された方を表示する表示装置の表示方法において、
記録媒体に記録されている、多重化されている前記動画像および前記動画像に同期している第１の音声、前記動画像若しくは前記第１の音声における場面の切り換えに対応する前記静止画像、前記静止画像に対応する第２の音声、または前記動画像の開始時刻を基準とした、前記静止画像の相対時刻を示す相対時刻データの読み出しを制御する読み出し制御ステップと、
前記動画像を表示する場合、前記動画像を連続して表示させ、前記静止画像を表示する場合、対応する前記相対時刻データを基に、前記静止画像を、次の前記静止画像が対応する前記相対時刻がくるまでの時間、表示する動作を繰り返すことで、前記静止画像を順次表示させるように、表示を制御する表示制御ステップと、
前記動画像を表示する場合、前記第１の音声を出力させ、前記静止画像を表示する場合、前記第２の音声を出力させるように、音声の出力を制御する出力制御ステップと
を含むことを特徴とする表示方法。
【請求項８】
動画像および静止画像のうちの選択された方を表示する表示装置を制御するコンピュータに、
記録媒体に記録されている、多重化されている前記動画像および前記動画像に同期している第１の音声、前記動画像若しくは前記第１の音声における場面の切り換えに対応する前記静止画像、前記静止画像に対応する第２の音声、または前記動画像の開始時刻を基準とした、前記静止画像の相対時刻を示す相対時刻データの読み出しを制御する読み出し制御ステップと、
前記動画像を表示する場合、前記動画像を連続して表示させ、前記静止画像を表示する場合、対応する前記相対時刻データを基に、前記静止画像を、次の前記静止画像が対応する前記相対時刻がくるまでの時間、表示する動作を繰り返すことで、前記静止画像を順次表示させるように、表示を制御する表示制御ステップと、
前記動画像を表示する場合、前記第１の音声を出力させ、前記静止画像を表示する場合、前記第２の音声を出力させるように、音声の出力を制御する出力制御ステップと
を含む処理を実行させるプログラム。
【発明の詳細な説明】
【０００１】
【発明の属する技術分野】
本発明は、記録装置および方法、表示装置および方法、並びにプログラムに関し、特に、画像を記録するか、または画像を表示する記録装置および方法、表示装置および方法、並びにプログラムに関する。
【０００２】
【従来の技術】
従来の携帯型のパーソナルコンピュータは、動画像および音声を記録し、記録している動画像を表示すると共に、音声を出力することができる。
【０００３】
バッテリを内蔵しているパーソナルコンピュータにおいては、バッテリの消耗を防止し、長時間の動画像の表示および音声の出力を可能とするために、駆動装置が不要であるRAM(Random-Access Memory)に動画像のデータおよび音声のデータを記憶させ、RAMに記憶されているデータを基に、動画像を表示すると共に、音声を出力する。
【０００４】
【発明が解決しようとする課題】
しかしながら、RAMは、ハードディスクドライブなどに比較して高価であり、機器に大容量のRAMを設けると、機器が高価にならざるを得ず、また、ハードディスクドライブと同等の記憶容量とすることは困難であり、長時間の画像の表示には適さない。
【０００５】
また、動画像の画素を間引く、または音声の帯域を狭めるなど、動画像および音声の品質を下げる場合であっても、品質を下げた動画像および音声を生成しなければならず、複雑な処理が必要であった。
【０００６】
本発明はこのような状況に鑑みてなされたものであり、より安価な機器で、より簡単に、より少ない電力で、動画像のおおまかな内容を使用者に認識させることができるようにすることを目的とする。
【０００７】
【課題を解決するための手段】
本発明の記録装置は、動画像の場面の切り換え、および動画像に同期している第１の音声の場面の切り換えを検出する検出手段と、動画像または第１の音声の場面の切り換えが検出された場合、切り換えられた場面に対応する動画像を基に、静止画像を生成する静止画像生成手段と、動画像の開始時刻を基準とした、動画像における相対時刻であって、静止画像生成手段により生成された静止画像の相対時刻を示す相対時刻データを生成する相対時刻生成手段と、動画像および第１の音声を多重化する多重化手段と、多重化された動画像および第１の音声、静止画像、相対時刻データ、並びに静止画像のための第２の音声の記録媒体への記録を制御する記録制御手段とを含むことを特徴とする。
【０００９】
記録装置は、第１の音声をコピーすることにより、第２の音声を生成する音声生成手段をさらに設けることができる。
【００１０】
本発明の記録方法は、動画像の場面の切り換え、および動画像に同期している第１の音声の場面の切り換えを検出する検出ステップと、動画像または第１の音声の場面の切り換えが検出された場合、切り換えられた場面に対応する動画像を基に、静止画像を生成する静止画像生成ステップと、動画像の開始時刻を基準とした、動画像における相対時刻であって、静止画像生成ステップの処理により生成された静止画像の相対時刻を示す相対時刻データを生成する相対時刻生成ステップと、動画像および第１の音声を多重化する多重化ステップと、多重化された動画像および第１の音声、静止画像、相対時刻データ、並びに静止画像のための第２の音声の記録媒体への記録を制御する記録制御ステップとを含むことを特徴とする。
【００１１】
本発明の第１のプログラムは、コンピュータに、動画像の場面の切り換え、および動画像に同期している第１の音声の場面の切り換えを検出する検出ステップと、動画像または第１の音声の場面の切り換えが検出された場合、切り換えられた場面に対応する動画像を基に、静止画像を生成する静止画像生成ステップと、動画像の開始時刻を基準とした、動画像における相対時刻であって、静止画像生成ステップの処理により生成された静止画像の相対時刻を示す相対時刻データを生成する相対時刻生成ステップと、動画像および第１の音声を多重化する多重化ステップと、多重化された動画像および第１の音声、静止画像、相対時刻データ、並びに静止画像のための第２の音声の記録媒体への記録を制御する記録制御ステップとを含む処理を実行させることを特徴とする。
【００１２】
本発明の表示装置は、記録媒体に記録されている、多重化されている動画像および動画像に同期している第１の音声、動画像若しくは第１の音声における場面の切り換えに対応する静止画像、静止画像に対応する第２の音声、または動画像の開始時刻を基準とした、静止画像の相対時刻を示す相対時刻データの読み出しを制御する読み出し制御手段と、動画像を表示する場合、動画像を連続して表示させ、静止画像を表示する場合、対応する相対時刻データを基に、静止画像を、次の静止画像が対応する相対時刻がくるまでの時間、表示する動作を繰り返すことで、静止画像を順次表示させるように、表示を制御する表示制御手段と、動画像を表示する場合、第１の音声を出力させ、静止画像を表示する場合、第２の音声を出力させるように、音声の出力を制御する出力制御手段とを含むことを特徴とする。
【００１４】
表示装置は、バッテリの残量を基に、静止画像を表示するか否かを判定する判定手段をさらに設けることができる。
【００１５】
本発明の表示方法は、記録媒体に記録されている、多重化されている動画像および動画像に同期している第１の音声、動画像若しくは第１の音声における場面の切り換えに対応する静止画像、静止画像に対応する第２の音声、または動画像の開始時刻を基準とした、静止画像の相対時刻を示す相対時刻データの読み出しを制御する読み出し制御ステップと、動画像を表示する場合、動画像を連続して表示させ、静止画像を表示する場合、対応する相対時刻データを基に、静止画像を、次の静止画像が対応する相対時刻がくるまでの時間、表示する動作を繰り返すことで、静止画像を順次表示させるように、表示を制御する表示制御ステップと、動画像を表示する場合、第１の音声を出力させ、静止画像を表示する場合、第２の音声を出力させるように、音声の出力を制御する出力制御ステップとを含むことを特徴とする。
【００１６】
本発明の第２のプログラムは、コンピュータに、記録媒体に記録されている、多重化されている動画像および動画像に同期している第１の音声、動画像若しくは第１の音声における場面の切り換えに対応する静止画像、静止画像に対応する第２の音声、または動画像の開始時刻を基準とした、静止画像の相対時刻を示す相対時刻データの読み出しを制御する読み出し制御ステップと、動画像を表示する場合、動画像を連続して表示させ、静止画像を表示する場合、対応する相対時刻データを基に、静止画像を、次の静止画像が対応する相対時刻がくるまでの時間、表示する動作を繰り返すことで、静止画像を順次表示させるように、表示を制御する表示制御ステップと、動画像を表示する場合、第１の音声を出力させ、静止画像を表示する場合、第２の音声を出力させるように、音声の出力を制御する出力制御ステップとを含む処理を実行させることを特徴とする。
【００１７】
本発明の記録装置および方法、並びに第１のプログラムにおいては、動画像の場面の切り換え、および動画像に同期している第１の音声の場面の切り換えが検出される。動画像または第１の音声の場面の切り換えが検出された場合、切り換えられた場面に対応する動画像を基に、静止画像が生成される。さらに、動画像の開始時刻を基準とした、動画像における相対時刻であって、生成された静止画像の相対時刻を示す相対時刻データが生成される。そして、動画像および第１の音声が多重化され、多重化された動画像および第１の音声、静止画像、相対時刻データ、並びに静止画像のための第２の音声が、記録媒体に記録される。
【００１８】
動画像および音声は、有線通信または無線通信により、受信したものであっても良く、撮像し、音波を電気信号に変換することにより取得したものであっても良い。また、動画像および音声は、圧縮しているものであっても良く、圧縮されていないものであっても良い。
【００１９】
記録媒体は、磁気により記録するものであっても良く、電気により記録するものであっても良く、物理的変化によって記録するものであっても良く、化学的変化によって記録するものであっても良い。
【００２０】
静止画像は、圧縮しているものであっても良く、圧縮されていないものであっても良い。静止画像および相対時刻データは、同一の記録媒体に記録されるようにしても良く、それぞれ異なる記録媒体に記録されるようにしても良い。
【００２１】
記録装置は、独立した装置であっても良いし、記録再生装置または記録表示装置の記録処理を行うブロックであっても良い。
【００２２】
本発明の表示装置および方法、並びに第２のプログラムにおいては、記録媒体に記録されている、多重化されている動画像および動画像に同期している第１の音声、動画像若しくは第１の音声における場面の切り換えに対応する静止画像、静止画像に対応する第２の音声、または動画像の開始時刻を基準とした、静止画像の相対時刻を示す相対時刻データが読み出される。動画像を表示する場合、動画像が連続して表示され、静止画像を表示する場合、対応する相対時刻データを基に、静止画像を、次の静止画像が対応する相対時刻がくるまでの時間、表示する動作を繰り返すことで、静止画像が順次表示される。さらに、動画像を表示する場合、第１の音声を出力され、静止画像を表示する場合、第２の音声が出力される。
【００２３】
記録媒体は、磁気により記録するものであっても良く、電気により記録するものであっても良く、物理的変化によって記録するものであっても良く、化学的変化によって記録するものであっても良い。
【００２４】
動画像および音声は、圧縮しているものであっても良く、圧縮されていないものであっても良い。
【００２５】
静止画像は、圧縮しているものであっても良く、圧縮されていないものであっても良い。
【００２６】
表示装置は、独立した装置であっても良いし、記録および表示を行う装置の表示処理を行うブロックであっても良い。
【００２７】
【発明の実施の形態】
以下、本発明に係る記録装置または表示装置としてのパーソナルコンピュータの一実施の形態を図面を参照して説明する。
【００２８】
図１乃至図６は、本発明を適用した携帯型パーソナルコンピュータの構成例を表している。このパーソナルコンピュータ１は、ミニノート型のパーソナルコンピュータとされ、基本的に、本体２と、本体２に対して開閉自在とされている表示部３により構成されている。図１は、表示部３を本体２に対して開いた状態を示す外観斜視図、図２は、表示部３を本体２に対して開いた状態を示す平面図、図３は、表示部３を本体２に対して閉塞した状態を示す左側側面図、図４は、表示部３を本体２に対して１８０度開いた状態を示す右側側面図、図５は、表示部３を本体２に対して閉塞した状態を示す正面図、図６は、表示部３を本体２に対して１８０度開いた状態を示す底面図である。
【００２９】
本体２には、各種の文字や記号などを入力するとき操作されるキーボード５、マウスカーソルを移動させるときなどに操作されるスティック式ポインティングデバイス６、およびパーソナルコンピュータ１の電源をオンまたはオフさせるための電源スイッチ８が、その上面に設けられている。
【００３０】
また、ジョグダイヤル４等が、各種のコネクタとともに、本体２の側面に設けられている。パーソナルコンピュータ１は、ジョグダイヤル４に回転の操作が加えられたとき、回転の操作に対応して所定の処理（例えば、画面のスクロールの処理）を実行し、ジョグダイヤル４に本体２側への押圧の操作が加えられたとき、押圧の操作に対応した処理（例えば、アイコンの選択の決定の処理）を実行する。
【００３１】
図３に示すように、本体２の左側面には、PCMCIA（Personal Computer Memory Card International Association）が規定する規格に準拠したカード（ＰＣカード）を挿入するためのスロット１１が設けられている。
【００３２】
表示部３の正面には、画像を表示するLCD（Liquid Crystal Display）７が設けられている。
【００３３】
さらに、表示部３の上部中央部には、マイクロフォン９、およびCCD（固体撮像素子）を備えるCCDビデオカメラ１０が設けられている。CCDビデオカメラ１０は、回動自在に表示部３に固定されている。例えば、CCDビデオカメラ１０は、使用者の操作により、CCDビデオカメラ１０がパーソナルコンピュータ１を操作する使用者自身を撮像する位置から、パーソナルコンピュータ１を操作する使用者の視線と同じ方向を撮像する位置に回動される。
【００３４】
このマイクロフォン９は、図６にも示すように、背面からの音も収音できるようになされている。
【００３５】
本体２の前面側には、電源ランプPL、電池ランプBL、その他のLEDよりなるランプが設けられている。
【００３６】
次に、パーソナルコンピュータ１の一実施の形態の構成について図７を参照して説明する。
【００３７】
処理装置としての中央処理装置（CPU（Central Processing Unit））５１は、例えば、インテル（Intel）社製のペンティアム（登録商標）（Pentium（登録商標））プロセッサ等で構成され、ホストバス５２に接続されている。ホストバス５２には、さらに、ブリッジ５３（いわゆる、ノースブリッジ）が接続されており、ブリッジ５３は、AGP（Accelerated Graphics Port）５０を有し、PCI(Peripheral Component Interconnect/Interface)バス５６に接続されている。
【００３８】
ブリッジ５３は、例えば、インテル社製のAGP Host Bridge Controllerである４４０ＢＸなどで構成されており、CPU５１およびRAM(Random-Access Memory）５４（いわゆる、メインメモリ）等を制御する。さらに、ブリッジ５３は、AGP５０を介して、ビデオコントローラ５７を制御する。なお、このブリッジ５３とブリッジ（いわゆる、サウスブリッジ（PCI-ISA Bridge））５８とで、いわゆるチップセットが構成されている。
【００３９】
ブリッジ５３は、さらに、キャッシュメモリ５５とも接続されている。キャッシュメモリ５５は、SRAM（Static RAM）などRAM５４に比較して、より高速に書き込みまたは読み出しの動作を実行できるメモリで構成され、CPU５１が使用するプログラムまたはデータをキャッシュする（一時的に記憶する）。
【００４０】
なお、CPU５１は、その内部に１次的な（キャッシュメモリ５５に比較して、より高速に動作できるメモリで、CPU５１自身が制御する）キャッシュメモリを有する。
【００４１】
RAM５４は、例えば、DRAM（Dynamic RAM）で構成され、CPU５１が実行するプログラム、またはCPU５１の動作に必要なデータを記憶する。具体的には、例えば、RAM５４は、起動が完了した時点において、HDD６７からロードされた、電子メールプログラム５４Ａ、オートパイロットプログラム５４Ｂ、ジョグダイヤル状態監視プログラム５４Ｃ、ジョグダイヤルドライバ５４Ｄ、オペレーティングプログラム（ＯＳ）５４Ｅ、録画再生プログラム５４Ｆ、およびアプリケーションプログラム５４Ｇ1乃至５４Ｇnを記憶する。
【００４２】
電子メールプログラム５４Ａは、モデム７５を介して電話回線７６などの通信回線などを介して、通信文（いわゆる、ｅメール）を授受するプログラムである。電子メールプログラム５４Ａは、着信メール取得機能を有している。この着信メール取得機能は、インターネットサービスプロバイダ７７が備えるメールサーバ７８に対して、そのメールボックス７９内に使用者宛のメールが着信しているかどうかを確認して、使用者宛のメールがあれば取得する処理を実行する。
【００４３】
オートパイロットプログラム５４Ｂは、予め設定された複数の処理（またはプログラム）などを、予め設定された順序で順次起動して、処理するプログラムである。
【００４４】
ジョグダイヤル状態監視プログラム５４Ｃは、ジョグダイヤル４に対応しているか否かの通知を、上述した各アプリケーションプログラムから受け取り、ジョグダイヤル４に対応している場合、ジョグダイヤル４を操作することで何が行えるかをLCD７に表示させる。
【００４５】
ジョグダイヤル状態監視プログラム５４Ｃは、ジョグダイヤル４のイベント（ジョグダイヤル４が回転される、または押圧されるなどの操作）を検出して、検出されたイベントに対応する処理を実行する。ジョグダイヤル状態監視プログラム５４Ｃは、アプリケーションプログラムからの通知を受け取るリストを有する。ジョグダイヤルドライバ５４Ｄは、ジョグダイヤル４の操作に対応して各種機能を実行する。
【００４６】
OS（Operating System）５４Ｅは、例えばマイクロソフト社のいわゆるウィンドウズ（登録商標）（Windows（登録商標））XP、またはアップルコンピュータ社のいわゆるマックOS（商標）等に代表される、コンピュータの基本的な動作を制御するプログラムである。
【００４７】
録画再生プログラム５４Ｆは、詳細は後述するが、画像処理回路１１４のチューナで受信された番組に対応する動画像の画像データ、または動画像に同期している音声データをHDD６７に記録させる。
【００４８】
録画再生プログラム５４Ｆは、CCDビデオカメラ１０で撮像された画像に対応する動画像の画像データ、およびマイクロフォン９で取得された音声に対応する音声データをHDD６７に記録させる。
【００４９】
または、録画再生プログラム５４Ｆは、外部の機器から供給され、画像処理回路１１４により取得された動画像の画像データおよび動画像に同期している音声データをHDD６７に記録させる。
【００５０】
録画再生プログラム５４Ｆは、動画像の画像データを基に、動画像が大きく変化する、いわゆる動画像の場面、いわゆるシーンの切り換えを検出し、動画像の画像データから、動画像のシーンの切り換えに対応する静止画像の画像データを生成し、動画像のシーンの切り換えの時刻を示すデータと共に、生成した画像データを記録する。
【００５１】
録画再生プログラム５４Ｆは、音声データを基に、音声が大きく変化する、いわゆる音声の場面の切り換えを検出し、動画像の画像データから、音声の場面の切り換えに対応する静止画像の画像データを生成し、音声の場面の切り換えの時刻を示すデータと共に、生成した画像データを記録する。
【００５２】
以下、音声の場面を、音声のシーンとも称する。
【００５３】
ここで、例えば、音声のうちのバックグラウンドの音楽の変更、モノーラルの音声からステレオの音声への切り換え、または、いわゆる２カ国語の音声からステレオの音声への切り換えなどが、音声の場面、すなわち音声のシーンの切り換えとして検出される。
【００５４】
動画像または音声のシーンの切り換えの時刻は、動画像および音声の先頭を基準とした、動画像および音声における相対的な時刻を示す。以下、動画像および音声の先頭を基準とした相対てきな時刻を相対時刻とも称する。
【００５５】
録画再生プログラム５４Ｆは、HDD６７に記録されている動画像の画像データを基に、LCD７に動画像を表示すると共に、HDD６７に記録されている音声データを基に、スピーカ６５に音声を出力させる。
【００５６】
または、録画再生プログラム５４Ｆは、HDD６７に記録されている静止画像の画像データを基に、LCD７に静止画像を表示すると共に、HDD６７に記録されている音声データを基に、スピーカ６５に音声を出力させる。録画再生プログラム５４Ｆは、LCD７に静止画像を表示するとき、動画像または音声のシーンの切り換えの相対時刻を示すデータを基に、シーンが切り換えられた相対時刻に、切り換えられたシーンに対応する静止画像をLCD７に表示させる。言い換えれば、録画再生プログラム５４Ｆは、動画像または音声のシーンが切り換えられた相対時刻に、シーンに対応させ、表示する静止画像を変更する。
【００５７】
ビデオコントローラ５７は、AGP５０を介してブリッジ５３に接続されており、AGP５０およびブリッジ５３を介してCPU５１から供給されるデータ（動画像または静止画像の画像データを含むイメージデータまたはテキストデータなど）を受信して、受信したデータに対応するイメージデータを生成するか、または受信したデータをそのまま、内蔵するビデオメモリ（図示せず）に記憶する。ビデオコントローラ５７は、表示部３のLCD７に、ビデオメモリに記憶されているイメージデータに対応する画像を表示させる。
【００５８】
また、ビデオコントローラ５７は、CCDビデオカメラ１０から、撮像された画像に対応するイメージデータを取得し、取得したイメージデータをRAM５４、CPU５１、HDD６７、または画像処理回路１１４に供給する。
【００５９】
PCIバス５６には、サウンドコントローラ６４が接続されている。サウンドコントローラ６４は、マイクロフォン９から音声に対応する信号を取り込み、音声に対応する音声データを生成して、RAM５４、CPU５１、HDD６７、または画像処理回路１１４に出力する。または、サウンドコントローラ６４は、PCIバス５６を介して供給された音声データを基に、スピーカ６５を駆動して、スピーカ６５に音声を出力させる。
【００６０】
また、PCIバス５６にはモデム７５が接続されている。モデム７５は、公衆電話回線７６およびインターネットサービスプロバイダ７７を介して、インターネット等のネットワーク８０またはメールサーバ７８に所定のデータを送信するとともに、ネットワーク８０またはメールサーバ７８から所定のデータを受信する。
【００６１】
ＰＣカードスロットインターフェース１１１は、PCIバス５６に接続され、スロット１４に装着されたインターフェースカード１１２から供給されたデータを、CPU５１またはRAM５４に供給するとともに、CPU５１から供給されたデータをインターフェースカード１１２に出力する。ドライブ１１３は、ＰＣカードスロットインターフェース１１１およびインターフェースカード１１２を介して、PCIバス５６に接続されている。
【００６２】
ドライブ１１３は、装着されている磁気ディスク１２１、光ディスク１２２、光磁気ディスク１２３、または半導体メモリ１２４に記録されているデータを読み出し、読み出したデータをＰＣカードスロットインターフェース１１１、インターフェースカード１１２、およびPCIバス５６を介して、RAM５４に供給する。
【００６３】
また、PCIバス５６にはブリッジ５８（いわゆる、サウスブリッジ）も接続されている。ブリッジ５８は、例えば、インテル社製のＰＩＩＸ４Ｅなどで構成されており、IDE（Integrated Drive Electronics）コントローラ／コンフィギュレーションレジスタ５９、タイマ回路６０、IDEインターフェース６１、およびUSBインターフェース６８等を内蔵している。ブリッジ５８は、IDEバス６２に接続されるデバイス、またはISA/EIO（Industry Standard Architecture / Extended Input Output）バス６３若しくはI/Oインターフェース６９を介して接続されるデバイスの制御等、各種のI/O（Input / Output）を制御する。
【００６４】
IDEコントローラ／コンフィギュレーションレジスタ５９は、いわゆるプライマリIDEコントローラとセカンダリIDEコントローラとの２つのIDEコントローラ、およびコンフィギュレーションレジスタ（configuration register）等から構成されている（いずれも図示せず）。
【００６５】
プライマリIDEコントローラには、IDEバス６２を介して、HDD６７が接続されている。また、セカンダリIDEコントローラには、他のIDEバスに、図示しないCD-ROMドライブまたはHDDなどの、いわゆるIDEデバイスが装着されたとき、その装着されたIDEデバイスが電気的に接続される。
【００６６】
なお、HDD６７は、電子メールプログラム６７Ａ、オートパイロットプログラム６７Ｂ、ジョグダイヤル状態監視プログラム６７Ｃ、ジョグダイヤルドライバ６７Ｄ、OS６７Ｅ、録画再生プログラム６７Ｆ、およびアプリケーションプログラム６７Ｇ1乃至６７Ｇn等を記録する。HDD６７に記録されている電子メールプログラム６７Ａ、オートパイロットプログラム６７Ｂ、ジョグダイヤル状態監視プログラム６７Ｃ、ジョグダイヤルドライバ６７Ｄ、OS６７Ｅ、録画再生プログラム６７Ｆ、およびアプリケーションプログラム６７Ｇ1乃至６７Ｇn等は、起動（ブートアップ）処理の過程で、RAM５４に順次供給され、ロードされる。また、HDD６７は、後述するように、コンテンツである画像データおよび音声データを記録している。
【００６７】
USB（Universal Serial Bus）インターフェース６８は、USBポート１０７を介して、接続されている図示せぬデバイスなどにコマンドまたはデータを出力するか、またはデバイスから供給されたコマンドまたはデータを取得する。
【００６８】
タイマ回路６０は、現在時刻を示すデータをPCIバス５６を介して、CPU５１に供給する。または、タイマ回路６０は、所定の時刻を基準とする経過時間を示すデータをPCIバス５６を介して、CPU５１に供給する。
【００６９】
ISA/EIOバス６３には、さらに、I/Oインターフェース６９が接続されている。このI/Oインターフェース６９は、エンベディットコントローラから構成され、その内部において、ROM７０、RAM７１、およびCPU７２が相互に接続されている。
【００７０】
ROM７０は、LED制御プログラム７０Ａ、ポインティングデバイス入力監視プログラム７０Ｂ、キー入力監視プログラム７０Ｃ、ウェイクアッププログラム７０Ｄ、およびジョグダイヤル状態監視プログラム７０Ｅ等を予め記憶している。
【００７１】
LED制御プログラム７０Ａは、電源ランプＰＬ、電池ランプＢＬ、またはその他のLEDよりなるランプの点灯の制御を行う。ポインティングデバイス入力監視プログラム７０Ｂは、使用者の操作に対応したスティック式ポインティングデバイス６からの入力を監視するプログラムである。
【００７２】
キー入力監視プログラム７０Ｃは、キーボード５またはその他のキースイッチからの入力を監視するプログラムである。ウェイクアッププログラム７０Ｄは、ブリッジ５８のタイマ回路６０から供給される現在時刻を示すデータに基づいて、予め設定された時刻になったかどうかをチェックして、設定された時刻になったとき、所定の処理（またはプログラム）等を起動するために、パーソナルコンピュータ１を構成する各チップの電源を管理するプログラムである。ジョグダイヤル状態監視プログラム７０Ｅは、ジョグダイヤル４の回転型エンコーダが回転されたか否か、またはジョグダイヤル４が押されたか否かを常に監視するためのプログラムである。
【００７３】
ROM７０には、さらにBIOS（Basic Input/Output System（基本入出力システム））７０Ｆが書き込まれている。BIOS７０Ｆは、OSまたはアプリケーションプログラムと周辺機器（スティック式ポインティングデバイス６、キーボード５、またはHDD６７等）との間で、データの受け渡し（入出力）を制御する。
【００７４】
RAM７１は、LED制御、スティック式ポインティングデバイス入力ステイタス、キー入力ステイタス、若しくは設定時刻用の各レジスタ、またはジョグダイヤル状態監視用のI/Oレジスタ等を、レジスタ７１Ａ乃至７１Ｆとして有している。例えば、LED制御レジスタは、ジョグダイヤル４が押されて、電子メールプログラム５４Ａの起動されたとき、所定の値が格納され、格納されている値に対応して、所定のLEDよりなるランプの点灯が制御される。キー入力ステイタスレジスタは、ジョグダイヤル４が押圧されると、所定の操作キーフラグが格納される。設定時刻レジスタは、使用者によるキーボード５などの操作に対応して、所定の時刻が設定される。
【００７５】
また、このI/Oインターフェース６９は、ジョグダイヤル４、キーボード５、およびスティック式ポインティングデバイス６等が接続され、ジョグダイヤル４、キーボード５、またはスティック式ポインティングデバイス６それぞれに対する操作に対応した信号をISA/EIOバス６３に出力する。また、I/Oインターフェース６９には、電源ランプＰＬ、電池ランプＢＬ、電源制御回路７３、およびその他のLEDよりなるランプが接続されている。
【００７６】
電源制御回路７３は、内蔵バッテリ７４またはＡＣ電源に接続されており、各ブロックに、必要な電源を供給するとともに、内蔵バッテリ７４または周辺装置のセカンドバッテリの充電のための制御を行う。電源制御回路７３は、パーソナルコンピュータ１の電源がオフされていても、メモリカードドライバ１５１−１および１５１−２、並びにサウンドコントローラ６４に電源を供給する。
【００７７】
また、電源制御回路７３は、内蔵バッテリ７４に蓄電されている電力量、いわゆる残量を検出し、残量を示すデータをI/Oインターフェース６９に供給する。I/Oインターフェース６９は、内蔵バッテリ７４の残量を示すデータを、CPU５１に供給する。
【００７８】
また、I/Oインターフェース６９は、電源をオンまたはオフするとき操作される電源スイッチ８を監視している。
【００７９】
I/Oインターフェース６９は、電源がオフの状態でも、内部に設けられた電源により、LED制御プログラム７０Ａ乃至ジョグダイヤル状態監視プログラム７０Ｅを実行する。すなわち、LED制御プログラム７０Ａ乃至ジョグダイヤル状態監視プログラム７０Ｅは、常時動作している。
【００８０】
従って、電源スイッチ８がオフでCPU５１がOS５４Ｅを実行していない場合でも、I/Oインターフェース６９は、ジョグダイヤル状態監視プログラム７０Ｅを実行するので、例えば、省電力状態、または電源オフの状態で、ジョグダイヤル４が押圧されたとき、パーソナルコンピュータ１は、予め設定した所定のソフトウェアまたはスクリプトファイルの処理を起動する。
【００８１】
このように、パーソナルコンピュータ１においては、ジョグダイヤル４がプログラマブルパワーキー（ＰＰＫ）機能を有するので、専用のキーを設ける必要がない。
【００８２】
さらに、PCIバス５６には、画像処理回路１１４が接続されている。画像処理回路１１４は、放送された番組を受信し、受信した番組に対応する、デジタルデータである、動画像の画像データおよび音声データを圧縮符号化し、圧縮符号化された動画像の画像データおよび音声データをHDD６７に記録させる。
【００８３】
画像処理回路１１４は、入力されたアナログ信号である画像信号または音声信号を基に、デジタルデータである動画像の画像データまたは音声データを生成する。画像処理回路１１４は、生成された画像データおよび音声データを圧縮符号化し、圧縮符号化された画像データおよび音声データをHDD６７に記録させる。
【００８４】
画像処理回路１１４は、入力された画像データおよび音声データを圧縮符号化し、圧縮符号化された画像データおよび音声データをHDD６７に記録させる。
【００８５】
また、画像処理回路１１４は、動画像の画像データを基に、動画像のシーンの切り換えを検出し、動画像のシーンの切り換えを示す信号を、CPU５１に供給する。画像処理回路１１４は、音声データを基に、音声のシーンの切り換えを検出し、音声のシーンの切り換えを示す信号を、CPU５１に供給する。
【００８６】
画像処理回路１１４は、CPU５１の制御の基に、動画像の画像データから、静止画像の画像データを生成する。画像処理回路１１４は、生成した静止画像の画像データをHDD６７に記録させる。
【００８７】
画像処理回路１１４は、HDD６７に記録されている、圧縮符号化されている動画像の画像データおよび音声データを伸張し、伸張された画像データを、ビデオコントローラ５７に供給すると共に、伸張された音声データを、サウンドコントローラ６４に供給する。
【００８８】
画像処理回路１１４は、HDD６７に記録されている、静止画像の画像データが圧縮されているとき、静止画像の画像データを伸張し、伸張された画像データを、ビデオコントローラ５７に供給する。
【００８９】
次に、画像処理回路１１４の構成について説明する。図８は、画像処理回路１１４の構成の一例を示す図である。１３９４インターフェース１５１は、IEEE1394の規定に対応する構成を有し、IEEE1394の規定に対応するプロトコルに基づき、DVCR(Digital Video Cassette Recorder)、VCR(Video Cassette Recorder)、またはセットトップボックスなどの外部の機器から供給されるデジタルデータである、DVCRフォーマットの画像データまたは音声データを受信し、受信した画像データまたは音声データをDV(Digital Video)データインターフェース５２に供給する。
【００９０】
また、１３９４インターフェース１５１は、DVデータインターフェース１５２から供給されたDVCRフォーマットの画像データおよび音声データを、IEEE1394の規定に対応するプロトコルに基づき、接続されている外部の機器に供給する。
【００９１】
DVデータインターフェース１５２は、１３９４インターフェース１５１から供給されたDVCRフォーマットの画像データまたは音声データ、またはデジタルセレクタ１５７から供給された画像データまたは音声データ（例えば、いわゆる、４：１：１などの圧縮されていないデジタルデータなど）をDVデータ圧縮伸張回路１５３に出力し、DVデータ圧縮伸張回路１５３から供給されたDVCRフォーマットの画像データまたは音声データを１３９４インターフェース１５１に出力し、DVデータ圧縮伸張回路１５３から供給された画像データまたは音声データ（圧縮されていない）をデジタルセレクタ１５７に出力する。
【００９２】
DVデータ圧縮伸張回路１５３は、DVデータインターフェース１５２から供給されたDVCRフォーマットの画像データまたは音声データを、圧縮されていない画像データまたは音声データに伸張して、DVデータインターフェース１５２に出力し、または、DVデータインターフェース１５２から供給された圧縮されていない画像データまたは音声データを、DVCRフォーマットの画像データまたは音声データに圧縮し、DVデータインターフェース１５２に出力する。
【００９３】
チューナ１５４は、図示せぬアンテナから供給されたＲＦ(radio Frequency)信号を入力し、所定のチャンネルの番組に対応するアナログ信号である、画像信号および音声信号をアナログセレクタ１５５に出力する。アナログセレクタ１５５は、外部の機器、またはD/A(Digital/Analog)変換回路１６１から供給されたアナログ信号である、画像信号または音声信号のいずれかを選択し、A/D(Analog/Digital)変換回路１５６または外部の機器に出力する。
【００９４】
A/D変換回路１５６は、アナログセレクタ１５５から供給された画像信号および音声信号を、デジタルデータである、画像データ（例えば、いわゆる、４：１：１などの画像データなど）および音声データに変換し、デジタルセレクタ１５７に出力する。デジタルセレクタ１５７は、DVデータインターフェース１５２、A/D変換回路１５６、またはMPEG(Moving Picture Experts Group)デコーダ１６０から出力された画像データおよび音声データを入力し、いずれかの画像データおよび音声データを選択し、選択した画像データおよび音声データをDVデータインターフェース１５２、MPEGエンコーダ１５８、またはD/A変換回路１６１に出力するとともに、ブリッジ１５９に出力する。
【００９５】
MPEGエンコーダ１５８は、デジタルセレクタ１５７から供給された動画像の画像データおよび音声データを、それぞれ圧縮符号化すると共に、多重化し、生成した１つの符号化列を、ブリッジ１５９に出力する。
【００９６】
以下、動画像の画像データおよび音声データが多重化されてなるデータを、画像音声多重化データと称する。
【００９７】
例えば、MPEGエンコーダ１５８は、音声データをMPEG2方式により圧縮符号化した符号化列であるAudio-PES（Packetized Elementary Stream）を生成するとともに、および動画像の画像データをMPEG2方式により圧縮符号化した符号化列であるVideo-PESを生成し、生成したAudio-PESおよびVideo-PESを多重化することにより、１つのMPEG2-PS(Program Stream)を生成し、生成したMPEG2-PSをブリッジ１５９に出力する。
【００９８】
MPEGエンコーダ１５８は、画像音声多重化データとは別に、音声データを圧縮符号化し、生成した符号化列を、ブリッジ１５９に出力する。音声データの符号化方式は、画像音声多重化データの圧縮符号化の方式と同一の方式、また、異なる方式のいずれであってもよい。
【００９９】
また、MPEGエンコーダ１５８は、動画像または音声のシーンの切り換えを検出し、動画像または音声のシーンが切り換えられたとき、シーンの切り換えに対応する動画像（シーンが切り換えられた画像）を、静止画像に変換し、ブリッジ１５９に出力する。例えば、MPEGエンコーダ１５８は、動画像に対応する静止画像の画像データとして、ビットマップ方式の画像データを出力する。
【０１００】
なお、MPEGエンコーダ１５８は、JPEG（Joint Photographic Experts Group）方式などにより圧縮された静止画像の画像データを出力するようにしてもよい。
【０１０１】
MPEGエンコーダ１５８は、動画像または音声のシーンの切り換えを示すデータをブリッジ１５９に供給する。
【０１０２】
ブリッジ１５９は、デジタルセレクタ１５７から供給された画像データおよび音声データ（圧縮されてない）を、PCIバス５６およびブリッジ５３などを介して、ビデオコントローラ５７に出力する。ブリッジ１５９は、MPEGエンコーダ１５８から供給されたMPEG方式の画像データまたは音声データを、画像処理回路１１４が装着されているパーソナルコンピュータ１のPCIバス５６を介して、HDD６７、またはCPU５１に出力する。さらに、ブリッジ１５９は、MPEGエンコーダ１５８から供給された、動画像または音声のシーンの切り換えに対応する静止画像の画像データを、HDD６７、またはCPU５１に出力するとともに、動画像または音声のシーンの切り換えを示すデータをCPU５１またはRAM５４に供給する。
【０１０３】
また、ブリッジ１５９は、PCIバス５６を介して、パーソナルコンピュータ１のHDD６７から、MPEG方式の画像データおよび音声データ、または静止画像の画像データおよび音声データを受信し、MPEGデコーダ１６０に出力する。
【０１０４】
MPEGデコーダ１６０は、ブリッジ１５９から供給されたMPEG方式の画像データおよび音声データを伸張して、圧縮されていない画像データまたは音声データとし、デジタルセレクタ１５７に出力する。静止画像の画像データが圧縮されているとき、MPEGデコーダ１６０は、ブリッジ１５９から供給された静止画像の画像データを伸張して、圧縮されていない画像データとし、デジタルセレクタ１５７に出力する。MPEGデコーダ１６０は、ブリッジ１５９から供給された音声データを伸張して、圧縮されていない音声データとし、デジタルセレクタ１５７に出力する。
【０１０５】
D/A変換回路１６１は、デジタルセレクタ１５７から供給された画像データおよび音声データを、アナログ信号に変換し、アナログセレクタ５２に出力する。
【０１０６】
なお、MPEGエンコーダ１５８またはMPEGデコーダ１６０に対応する処理は、所定のプログラムにより、CPU５１が実行するようにしてもよい。
【０１０７】
図９は、パーソナルコンピュータ１が実行するアプリケーションプログラムを説明する図である。録画再生プログラム５４Ｆは、画像処理回路１１４に、チューナ１５４で受信した所定のチャンネルの画像および音声のアナログ信号、VCRなどの外部の機器から供給された、アナログ信号である画像信号および音声信号、またはDVCRなどの外部の機器から供給されたデジタルデータである、画像データおよび音声データのいずれかを選択させ、選択されたアナログ信号またはデジタルデータをMPEG方式の画像データまたは音声データに圧縮符号化させ、１以上の所定の形式のファイルから構成されるAV(Audio Visual)コンテンツとして、HDD６７に記録させる。
【０１０８】
録画再生プログラム５４Ｆは、画像処理回路１１４に、チューナ１５４で受信した所定のチャンネルの音声のアナログ信号、VCRなどの外部の機器から供給された、アナログ信号である音声信号、またはDVCRなどの外部の機器から供給されたデジタルデータである、音声データのいずれかを選択させ、選択されたアナログ信号またはデジタルデータをMPEG方式の音声データに圧縮符号化させ、１以上の所定の形式のファイルから構成されるコンテンツとして、HDD６７に圧縮符号化された音声データをさらに記録させる。
【０１０９】
録画再生プログラム５４Ｆは、画像処理回路１１４に、圧縮符号化している画像データまたは音声データを基に、動画像または音声のシーンの切り換えを検出させ、動画像または音声のシーンの切り換えが検出されたとき、動画像に対応する静止画像の画像データを生成させる。録画再生プログラム５４Ｆは、生成した静止画像の画像データを、HDD６７に記録されている、対応するAVコンテンツに格納させる。すなわち、録画再生プログラム５４Ｆは、生成した静止画像の画像データをHDD６７に記録させる。
【０１１０】
なお、録画再生プログラム５４Ｆ自身が、圧縮符号化している画像データまたは音声データを基に、動画像または音声のシーンの切り換えを検出するようにしてもよい。
【０１１１】
録画再生プログラム５４Ｆは、動画像または音声のシーンの切り換えが検出されたとき、シーンの切り換えの相対時刻を示すデータを、HDD６７に記録されている、対応するAVコンテンツに格納させる。すなわち、録画再生プログラム５４Ｆは、シーンの切り換えの相対時刻を示すデータをHDD６７に記録させる。
【０１１２】
録画再生プログラム５４Ｆは、動画像を表示させると共に、音声を出力させるか、または、シーンの切り換えに対応させて、順次、静止画像を表示させると共に、音声を出力させる。
【０１１３】
以下、動画像の表示および音声の出力を、完全再生と称する。また、シーンの切り換えに対応した、所定の静止画像の表示および音声の出力を、省電力再生と称する。
【０１１４】
動画像の表示および音声の出力、すなわち完全再生が指示され、かつ、内蔵バッテリ７４の残量が、予め記憶している（設定されている）閾値以上であるとき、録画再生プログラム５４Ｆは、完全再生を実行する。より詳細に説明すれば、完全再生において、録画再生プログラム５４Ｆは、AVコンテンツに格納されている動画像の画像データおよび音声データを、画像処理回路１１４に、伸張させて、圧縮されていない所定の画像または音声のデジタルデータを生成し、画像をLCD７に表示させ、音声をスピーカ６５に出力させる。
【０１１５】
シーンの切り換えに対応した、所定の静止画像の表示および音声の出力、すなわち省電力再生が指示されるか、または、内蔵バッテリ７４の残量が、予め記憶している（設定されている）閾値未満であるとき、録画再生プログラム５４Ｆは、省電力再生を実行する。より詳細に説明すれば、省電力再生において、録画再生プログラム５４Ｆは、AVコンテンツに格納されている、静止画像の画像データおよびシーンの切り換えの相対時刻を示すデータを読み出すと共に、AVコンテンツに格納されている音声データを、画像処理回路１１４に、伸張させて、圧縮されていない音声のデジタルデータを生成する。
【０１１６】
録画再生プログラム５４Ｆは、AVコンテンツに格納されている、シーンの切り換えの相対時刻を示すデータを基に、シーンの切り換えに対応する、所定の静止画像をLCD７に表示させ、音声をスピーカ６５に出力させる。
【０１１７】
AVコンテンツ管理検索プログラム１８１は、HDD６７に記録されているAVコンテンツの内容または録画された日付などの所定の情報を表示する。また、AVコンテンツ管理検索プログラム１８１は、所定のAVコンテンツの再生を録画再生プログラム５４Ｆに指示し、編集の対象となるAVコンテンツを選択し、その選択されたAVコンテンツの情報をAVコンテンツ編集プログラム１８２に供給し、予約録画設定プログラム１８３に予約録画の指示を行う。
【０１１８】
AVコンテンツ編集プログラム１８２は、HDD６７に記録されているAVコンテンツを基に、選択されたAVコンテンツの所定の画像および音声を編集（所定AVコンテンツにふくまれている画像および音声をつなぎ合わせる）し、編集された画像または音声を再生する所定の形式のAVコンテンツを生成する。
【０１１９】
このAVコンテンツは、画像データまたは音声データを有せず、選択されたAVコンテンツを特定する情報および利用する画像および音声を特定する情報から構成され、録画再生プログラム５４Ｆで再生することができる。
【０１２０】
予約録画設定プログラム１８３は、設定に基づき、予約録画を実行させるAVコンテンツを生成する。このAVコンテンツは、設定（録画時間、および画質を決定する録画モード）に対応し、HDD６７の記憶領域を予め確保する。
【０１２１】
予約監視プログラム１８４は、パーソナルコンピュータ１が動作しているとき（OSが動作しているとき）、常に動作し（いわゆる、常駐している）、予約録画設定プログラム１８３が生成した予約録画を実行させるAVコンテンツ、および、タイマ回路６０から供給される時刻を基に、予約録画を実行する。また、予約監視プログラム１８４は、予約録画を実行させるAVコンテンツの設定を変更する。
【０１２２】
図１０は、パーソナルコンピュータ１が実行するアプリケーションプログラム、ミドルウェア、およびドライバ類の構成を説明する図である。ミドルウェアは、アプリケーションプログラムからの要求に対応し、所定のドライバ類を動作させる。ドライバ類は、画像処理回路１１４のMPEGエンコーダ１５８など、所定のハードウェアのリソースを、実際に動作させる。
【０１２３】
ハードウェアインターフェース１９１は、録画再生プログラム５４Ｆ、AVコンテンツ管理検索プログラム１８１、AVコンテンツ編集プログラム１８２、予約録画設定プログラム１８３、または予約監視プログラム１８４が要求する、ハードウェアリソースの使用を調停し、各種の優先順位などの設定に基づき、アプリケーションプログラムが所定のハードウェアリソースを適切に利用できるようにする。
【０１２４】
コンテンツデータベース１９２は、AVコンテンツの後述する属性のデータなどを管理し、録画再生プログラム５４Ｆ、AVコンテンツ管理検索プログラム１８１、AVコンテンツ編集プログラム１８２、予約録画設定プログラム１８３、または予約監視プログラム１８４に対し、AVコンテンツの後述する属性のデータ、またはAVコンテンツに対応する画像または音声のデジタルデータを記憶しているファイルを特定するデータを提供するデータベースである。
【０１２５】
ファイルI/O(Input/Output)１９３は、コンテンツデータベース１９２を介して、録画再生プログラム５４Ｆ、AVコンテンツ管理検索プログラム１８１、AVコンテンツ編集プログラム１８２、予約録画設定プログラム１８３、または予約監視プログラム１８４の所定のAVコンテンツ（１以上のファイルから構成される）に対する読み出し、または書き込みの要求に対応し、実際に、所定のファイルに対しデータの読み出し、または書き込みを実行する。
【０１２６】
エンコードドライバプログラム１９４は、画像処理回路１１４のMPEGエンコーダ１５８に、デジタルセレクタ１５７から入力された画像または音声のデータを、MPEG方式のデジタルデータに圧縮させる制御を実行する。
【０１２７】
デコードドライバプログラム１９５は、画像処理回路１１４のMPEGデコーダ１６０に、ブリッジ１５９から入力されたMPEG方式の画像または音声のデジタルデータを、伸張させる制御を実行する。
【０１２８】
出力切り換えプログラム１９６は、画像処理回路１１４のアナログセレクタ５２、および１３９４インターフェース１５１を動作させ、画像処理回路１１４からのアナログ信号またはデジタルデータの出力を制御する。
【０１２９】
入力切り換えプログラム１９７は、画像処理回路１１４のアナログセレクタ５２、１３９４インターフェース１５１、DVデータインターフェース１５２、およびデジタルセレクタ１５７を動作させ、画像処理回路１１４に入力されるアナログ信号またはデジタルデータを選択する。
【０１３０】
画面表示プログラム１９８は、デジタルセレクタ１５７およびブリッジ１５９などを動作させ、LCD７への画像の表示を制御する。
【０１３１】
ドライバ１９９は、エンコードドライバプログラム１９４、デコードドライバプログラム１９５、出力切り換えプログラム１９６、入力切り換えプログラム１９７、および画面表示プログラム１９８の要求に対応し、画像処理回路１１４を実際に動作させるプログラムである。
【０１３２】
図１１は、AVコンテンツの構成の例を説明する図である。HDD６７に記録されているコンテンツデータベース１９２には、各AVコンテンツの属性が記録されている。コンテンツデータベース１９２に記録されているAVコンテンツ属性レコード２０２−１は、AVコンテンツ２０１−１の属性である、名前、ID(Identification data)、作成日時、変更日時、録画時間、チャンネル名、録画モード、状態、有効期限（日付および時刻から示される）、誤削除防止の設定、エラーの有り無し、およびメモなどのデータを格納している。コンテンツデータベース１９２に記録されているAVコンテンツ属性レコード２０２−２は、AVコンテンツ２０１−２の属性である、名前、ＩＤ、作成日時、変更日時、録画時間、チャンネル名、録画モード、状態、有効期限、誤削除防止の設定、エラーの有り無し、およびメモなどのデータを格納している。
【０１３３】
AVコンテンツ属性レコード２０２−１に格納されている録画モードのデータは、動画像データファイル２１１−１−１および２１１−１−２が高画質、標準、またはビデオＣＤ互換（画像のデータがMPEG１方式であること示す）のいずれかであることを示す。同様に、AVコンテンツ属性レコード２０２−１に格納されている状態のデータは、AVコンテンツ２０１−１が予約待ち、録画中、録画・再生中（録画し、録画している画像のデータを再生している）、未再生、再生中、または再生済のうちの、いずれかの状態であることを示す。
【０１３４】
エラーは、例えば、録画中にパーソナルコンピュータ１が故障し、途中までしか録画されなかった、録画中の受信状態が悪く、アンテナからの入力されたＲＦ信号で画像が再生できなかった、または、動画像データファイル２１１−１−１の一部が欠落している等のAVコンテンツ２０１−１の状態を示す。
【０１３５】
有効期限および誤削除防止の設定は、どちらも設定されない、または、そのいずれかが設定され、有効期限および誤削除防止の双方が同時に設定されることはない。
【０１３６】
AVコンテンツ属性レコード２０２−２に格納されている録画モードのデータは、動画像データファイル２１１−２−１および２１１−２−２が高画質、標準、またはビデオＣＤ互換のいずれかであることを示す。同様に、AVコンテンツ属性レコード２０２−２に格納されている状態のデータは、AVコンテンツ２０１−２が予約待ち、録画中、録画・再生中、未再生、再生中、または再生済のうちの、いずれかの状態であることを示す。
【０１３７】
AVコンテンツ２０１−１は、HDD６７に記録されている動画像データファイル２１１−１−１および２１１−１−２、HDD６７に記録されている静止画像データファイル２１２−１−１および２１２−１−２、HDD６７に記録されている音声データファイル２１３−１−１および２１３−１−２、並びにHDD６７に記録されている相対時刻ファイル２１４−１−１および２１４−１−２から構成され、画像処理回路１１４から供給された、画像音声多重化データ、静止画像の画像データ、音声データ、および相対時刻を示すデータを格納する。
【０１３８】
動画像データファイル２１１−１−１および２１１−１−２は、画像処理回路１１４から供給された、動画像の画像データおよび音声データが多重化されてなる画像音声多重化データが格納されている。例えば、動画像データファイル２１１−１−１および２１１−１−２は、画像処理回路１１４から供給された、画像音声多重化データであるMPEG2-PSを格納する。
【０１３９】
動画像データファイル２１１−１−２に格納されている画像音声多重化データの先頭に多重化されている画像データに対応する動画像は、動画像データファイル２１１−１−１に格納されている画像音声多重化データの最後に多重化されている画像データに対応する動画像に連続している。
【０１４０】
静止画像データファイル２１２−１−１は、動画像データファイル２１１−１−１に格納されている画像音声多重化データの動画像または音声のシーンの切り換えに対応する、画像処理回路１１４から供給された、静止画像の画像データを格納する。静止画像データファイル２１２−１−２は、動画像データファイル２１１−１−２に格納されている画像音声多重化データの動画像または音声のシーンの切り換えに対応する、画像処理回路１１４から供給された、静止画像の画像データを格納する。
【０１４１】
音声データファイル２１３−１−１には、画像処理回路１１４から供給された、動画像データファイル２１１−１−１に格納されている画像音声多重化データに多重化されている音声データの音声と同一の音声の音声データ（多重化されていない）が格納されている。すなわち、動画像データファイル２１１−１−１に格納されている画像音声多重化データに多重化されている音声データ、および音声データファイル２１３−１−１に格納されている音声データを同時に再生を開始したとき、時間の経過に伴って、同一の音声が出力される。
【０１４２】
音声データファイル２１３−１−２には、画像処理回路１１４から供給された、動画像データファイル２１１−１−２に格納されている画像音声多重化データに多重化されている音声データの音声と同一の音声の音声データ（多重化されていない）が格納されている。
【０１４３】
音声データファイル２１３−１−２の先頭に格納されている音声データに対応する音声は、音声データファイル２１３−１−１の最後に格納されている音声データに対応する音声に連続している。
【０１４４】
相対時刻ファイル２１４−１−１は、動画像データファイル２１１−１−１に格納されている画像音声多重化データに対応する、画像処理回路１１４から供給された、動画像または音声のシーンの切り換えの相対時刻を示すデータを格納する。相対時刻ファイル２１４−１−２は、動画像データファイル２１１−１−２に格納されている画像音声多重化データに対応する、画像処理回路１１４から供給された、動画像または音声のシーンの切り換えの相対時刻を示すデータを格納する。
【０１４５】
AVコンテンツ２０１−２は、動画像データファイル２１１−２−１および２１１−２−２、静止画像データファイル２１２−２−１および２１２−２−２、音声データファイル２１３−２−１および２１３−２−２、並びに相対時刻ファイル２１４−２−１および２１４−２−２から構成され、AVコンテンツ２０１−１の場合と同様なのでその説明は省略する。
【０１４６】
以下、AVコンテンツ２０１−１またはAVコンテンツ２０１−２を個別に区別する必要がないとき、単にAVコンテンツ２０１と称する。
【０１４７】
以下、AVコンテンツ属性レコード２０２−１またはAVコンテンツ属性レコード２０２−２を個別に区別する必要がないとき、単にAVコンテンツ属性レコード２０２と称する。
【０１４８】
以下、動画像データファイル２１１−１−１若しくは動画像データファイル２１１−１−２または動画像データファイル２１１−２−１若しくは動画像データファイル２１１−２−２を個別に区別する必要がないとき、単に動画像データファイル２１１と称する。
【０１４９】
以下、静止画像データファイル２１２−１−１若しくは静止画像データファイル２１２−１−２または静止画像データファイル２１２−２−１若しくは静止画像データファイル２１２−２−２を個別に区別する必要がないとき、単に静止画像データファイル２１２と称する。
【０１５０】
以下、音声データファイル２１３−１−１若しくは音声データファイル２１３−１−２または音声データファイル２１３−２−１若しくは音声データファイル２１３−２−２を個々に区別する必要がないとき、単に、音声データファイル２１３と称する。
【０１５１】
以下、相対時刻ファイル２１４−１−１若しくは相対時刻ファイル２１４−１−２または相対時刻ファイル２１４−２−１若しくは相対時刻ファイル２１４−２−２を個々に区別する必要がないとき、単に、相対時刻ファイル２１４と称する。
【０１５２】
次に、録画再生プログラム５４Ｆが、パーソナルコンピュータ１のLCD７に表示させる画面について説明する。図１２は、録画再生プログラム５４Ｆが、録画の操作が可能であるとき、パーソナルコンピュータ１のLCD７に表示される画面の例を説明する図である。
【０１５３】
録画ウィンドウ２４１には、録画されるチャンネル、録画モードなどが設定される。録画を開始したとき、録画再生プログラム５４Ｆは、録画ウィンドウ２４１の設定に基づき、画像処理回路１１４のチューナ１５４またはMPEGエンコーダ１５８などの動作を設定し、所定のAVコンテンツ２０１およびAVコンテンツ属性レコード２０２を生成し、HDD６７に記録させる。
【０１５４】
録画ウィンドウ２４１が選択され、アクティブであるとき、録画ボタン２４２および停止ボタン２４３は、アクティブとなり、操作が可能になる。すなわち、録画ウィンドウ２４１が選択され、アクティブである場合、録画再生プログラム５４Ｆは、録画ボタン２４２がクリックされたとき、録画を開始し、停止ボタン２４３がクリックされたとき、録画を停止する。
【０１５５】
一方、録画ウィンドウ２４１が選択され、アクティブであるとき、完全再生ボタン２４４、省電力再生ボタン２４５、および一時停止ボタン１４５は、非アクティブとなり、録画再生プログラム５４Ｆは、完全再生ボタン２４４、省電力再生ボタン２４５、または一時停止ボタン２４６がクリックされても、動作しない。
【０１５６】
表示領域２４７は、記録しようとする動画像、記録している動画像、または再生された動画像若しくは静止画像を表示する領域である。
【０１５７】
次に、録画再生プログラム５４Ｆにより、所定のAVコンテンツ２０１を再生するときの画面について説明する。図１３は、録画再生プログラム５４Ｆが、再生の操作が可能である場合、パーソナルコンピュータ１のLCD７に表示させる画面の例を説明する図である。
【０１５８】
再生ウィンドウ２５１には、再生するAVコンテンツの録画モード等が表示される。再生ウィンドウ２５１が選択され、アクティブであるとき、停止ボタン２４３、完全再生ボタン２４４、省電力再生ボタン２４５、および一時停止ボタン２４６は、アクティブとなり、操作が可能になる。すなわち、再生ウィンドウ２５１が選択され、アクティブである場合、録画再生プログラム５４Ｆは、完全再生ボタン２４４がクリックされたとき、動画像の再生と共に、音声の再生を開始し、一時停止ボタン２４６がクリックされたとき、動画像および音声の再生を一時停止し、停止ボタン２４３がクリックされたとき、動画像および音声の再生を停止する。
【０１５９】
再生ウィンドウ２５１が選択され、アクティブである場合、録画再生プログラム５４Ｆは、省電力再生ボタン２４５がクリックされたとき、音声の再生を開始すると共に、シーンの切り換えの時刻に対応させて、静止画像を切り換えて表示し、一時停止ボタン２４６がクリックされたとき、静止画像および音声の再生を一時停止し、停止ボタン２４３がクリックされたとき、静止画像および音声の再生を停止する。
【０１６０】
一方、再生ウィンドウ２５１が選択され、アクティブであるとき、録画ボタン２４２は、非アクティブとなり、録画再生プログラム５４Ｆは、録画ボタン２４２がクリックされても、動作しない。
【０１６１】
また、図１４に示すように、操作メニューがクリックされたとき、録画再生プログラム５４Ｆは、録画コマンド、停止コマンド、完全再生コマンド、および省電力再生コマンドなどが配置されているプルダウンメニュー２６１をLCD７に表示させる。
【０１６２】
プルダウンメニュー２６１の完全再生コマンドが選択されたとき、録画再生プログラム５４Ｆは、動画像の再生と共に、音声の再生を開始する。
【０１６３】
プルダウンメニュー２６１の省電力再生コマンドが選択されたとき、録画再生プログラム５４Ｆは、音声の再生を開始すると共に、シーンが切り換えの時刻に対応させて、静止画像を切り換えて表示する。
【０１６４】
次に、図１５のフローチャートを参照して、録画再生プログラム５４Ｆを実行するCPU５１による、録画の処理を説明する。
【０１６５】
ステップＳ１１において、録画再生プログラム５４Ｆは、コンテンツデータベース１９２に格納されている、記録しようとするAVコンテンツ２０１に対応するAVコンテンツ属性レコード２０２に、録画中を示す属性を登録する。
【０１６６】
ステップＳ１２において、録画再生プログラム５４Ｆは、動画像の画像データおよび動画像に同期している音声データを所定の方式で圧縮する。例えば、録画再生プログラム５４Ｆは、MPEGエンコーダ１５８に、動画像の画像データおよび音声データをMPEG２の方式で圧縮符号化させ、符号化列としてMPEG2-PSを出力させる。
【０１６７】
なお、いわゆるソフトウェアエンコーダにより、動画像の画像データおよび音声データを圧縮するようにしてもよい。
【０１６８】
ステップＳ１３において、録画再生プログラム５４Ｆは、動画像に同期している音声データをコピーして、他の音声データを生成し、生成した他の音声データを所定の方式で圧縮する。例えば、録画再生プログラム５４Ｆは、MPEGエンコーダ１５８に、他の音声データをMPEGの方式で圧縮符号化させる。
【０１６９】
なお、録画再生プログラム５４Ｆは、生成した他の音声データを周波数帯域を狭くするなど間引きするようにしてもよい。また、録画再生プログラム５４Ｆは、生成した他の音声データを所定の方式で圧縮するようにしてもよい。
【０１７０】
なお、いわゆるソフトウェアエンコーダにより、音声データを圧縮するようにしてもよい。
【０１７１】
また、ステップＳ１２またはステップＳ１３の処理における、画像データまたは音声データの圧縮符号化の方式または多重化の方式は、本発明を限定しない。
【０１７２】
ステップＳ１４において、録画再生プログラム５４Ｆは、例えば、MPEGエンコーダ１５８から供給されるデータを基に、動画像のシーンが切り換えられたか否かを判定し、動画像のシーンが切り換えられたと判定された場合、ステップＳ１６に進む。
【０１７３】
ステップＳ１４において、動画像のシーンが切り換えられていないと判定された場合、ステップＳ１５に進み、録画再生プログラム５４Ｆは、例えば、MPEGエンコーダ１５８から供給されるデータを基に、音声のシーンが切り換えられたか否かを判定する。
【０１７４】
ステップＳ１５において、音声のシーンが切り換えられたと判定された場合、手続きは、ステップＳ１６に進む。
【０１７５】
ステップＳ１６において、動画像のシーンまたは音声のシーンが切り換えられたので、録画再生プログラム５４Ｆは、MPEGエンコーダ１５８に、動画像の画像データを基に、シーンの切換に対応する、静止画像の画像データを生成させる。
【０１７６】
ステップＳ１７において、録画再生プログラム５４Ｆは、生成した静止画像の画像データを、静止画像データファイル２１２に記録する。
【０１７７】
ステップＳ１８において、録画再生プログラム５４Ｆは、静止画像に対応する、すなわち、動画像のシーンの切り換えまたは音声のシーンの切り換えに対応する相対時刻を示すデータを、相対時刻ファイル２１４に記録する。静止画像に対応する相対時刻は、動画像および音声の先頭を基準とした、相対的な動画像および音声における時刻を示す。例えば、録画再生プログラム５４Ｆは、タイマ回路６０から供給された、動画像および音声の開始の時刻を基準とする経過時間を示すデータを基に、シーンの切り換えに対応する相対時刻を示すデータを生成し、相対時刻ファイル２１４に記録する。
【０１７８】
ステップＳ１９において、録画再生プログラム５４Ｆは、ステップＳ１２の処理で圧縮された、動画像の画像データおよび音声データを動画像データファイル２１１に記録する。ステップＳ２０において、録画再生プログラム５４Ｆは、ステップＳ１３の処理で圧縮された音声データを音声データファイル２１３に記録する。この結果、動画像データファイル２１１には、動画像の画像データおよび音声データが格納され、音声データファイル２１３には、音声データが格納されることになる。
【０１７９】
ステップＳ２１において、録画再生プログラム５４Ｆは、停止ボタン２４３のクリックに対応する信号、または操作メニューの停止コマンドの選択に対応する信号を基に、録画を終了するか否かを判定し、録画を終了しないと判定された場合、ステップＳ１２に戻り、録画の処理を繰り返す。
【０１８０】
ステップＳ２１において、録画を終了すると判定された場合、ステップＳ２２に進み、録画再生プログラム５４Ｆは、コンテンツデータベース１９２に格納されている、記録したAVコンテンツ２０１に対応するAVコンテンツ属性レコード２０２に、属性を示す所定のデータを登録して、処理は終了する。
【０１８１】
ステップＳ１５において、音声のシーンが切り換えられていないと判定された場合、動画像のシーンおよび音声のシーンのいずれも切り換えられていないので、静止画像を記録する必要がなく、ステップＳ１６乃至ステップＳ１８の処理はスキップされ、手続きは、ステップＳ１９に進み、動画像の画像データおよび音声データを記録する。
【０１８２】
このように、動画像の画像データおよび音声データを記録するようにした場合には、画像データおよび音声データを記録することができる。
【０１８３】
また、動画像の場面の切り換え、および動画像に同期している音声の場面の切り換えを検出し、動画像または音声の場面の切り換えが検出された場合、切り換えられた場面に対応する動画像を基に、静止画像を生成し、動画像の開始時刻を基準とした、動画像における相対時刻であって、生成された静止画像の相対時刻を示す相対時刻データを生成し、静止画像および相対時刻データの記録媒体への記録を制御するようにした場合には、記録された静止画像および相対時刻データを基に、より安価な表示装置で、より簡単に、より少ない電力で、動画像のおおまかな内容を使用者に認識させることができる。
【０１８４】
次に、図１６のフローチャートを参照して、録画再生プログラム５４Ｆを実行するCPU５１による、既に記録されている動画像および音声に対応する静止画像の生成の処理を説明する。
【０１８５】
ステップＳ４１において、録画再生プログラム５４Ｆは、動画像の画像データおよび動画像に同期している音声データを読み出す。例えば、録画再生プログラム５４Ｆは、HDD６７に記録されている、動画像データファイル２１１から画像音声多重化データを読み出す。ステップＳ４１の処理において、読み出される画像データおよび音声データの圧縮の方式または多重化の方式は、本発明を限定するものではない。
【０１８６】
ステップＳ４２において、録画再生プログラム５４Ｆは、読み出した画像データおよび音声データを基に、動画像の切り換えられたシーン、および音声の切り換えられたシーンを抽出する。
【０１８７】
ステップＳ４３において、録画再生プログラム５４Ｆは、動画像の切り換えられたシーン、または音声の切り換えられたシーンに対応する相対時刻における、動画像の画像データから、静止画像の画像データを生成する。ステップＳ４４において、録画再生プログラム５４Ｆは、生成した静止画像の画像データを、静止画像データファイル２１２に記録する。ステップＳ４４の処理において、生成される静止画像の画像データは、圧縮されていない画像データ、および圧縮されている画像データのいずれでもよい。
【０１８８】
ステップＳ４５において、録画再生プログラム５４Ｆは、静止画像に対応する相対時刻、すなわち、動画像の切り換えられたシーン、または音声の切り換えられたシーンに対応する相対時刻を示すデータを、相対時刻ファイル２１４に記録する。
【０１８９】
ステップＳ４６において、録画再生プログラム５４Ｆは、ステップＳ４１の処理で読み出された音声データを音声データファイル２１３に記録し、処理は終了する。録画再生プログラム５４Ｆは、読み出された音声を音声データファイル２１３に記録するとき、音声データの符号化方式を変更するようにしてもよい。
【０１９０】
このように、動画像の場面の切り換え、および動画像に同期している音声の場面の切り換えを検出し、動画像または音声の場面の切り換えが検出された場合、切り換えられた場面に対応する動画像を基に、静止画像を生成し、動画像の開始時刻を基準とした、動画像における相対時刻であって、生成された静止画像の相対時刻を示す相対時刻データを生成し、静止画像および相対時刻データの記録媒体への記録を制御するようにした場合には、記録された静止画像および相対時刻データを基に、より安価な表示装置で、より簡単に、より少ない電力で、動画像のおおまかな内容を使用者に認識させることができる。
【０１９１】
なお、録画再生プログラム５４Ｆは、動画像または音声のシーンが切り換えられた動画像に対応する静止画像の画像データを記録すると説明したが、代表的なシーンに対応する静止画像を記録するようにしてもよい。例えば、録画再生プログラム５４Ｆは、所定の閾値より長い期間のシーンに対応する静止画像に対応する画像データのみを記録するようにしてもよい。さらに、例えば、録画再生プログラム５４Ｆは、予め定めた期間毎に、静止画像の画像データを生成して、代表的なシーンに対応する静止画像として記録するようにしてもよい。
【０１９２】
次に、図１７のフローチャートを参照して、パーソナルコンピュータ１が内蔵バッテリ７４で駆動されているときの、録画再生プログラム５４Ｆを実行するCPU５１による、再生の処理を説明する。
【０１９３】
ステップＳ６１において、録画再生プログラム５４Ｆは、使用者からの、完全再生および省電力再生のいずれかの指示を取得する。例えば、録画再生プログラム５４Ｆは、完全再生ボタン２４４若しくは省電力再生ボタン２４５のクリックに対応する信号、または操作メニューの全再生コマンド若しくは省電力再生コマンドの選択に対応する信号を、使用者の指示として取得する。また、例えば、録画再生プログラム５４Ｆは、完全再生および省電力再生のいずれかを予め設定させ、１つの再生ボタンがクリックされたとき、設定に基づき、完全再生および省電力再生のいずれかを使用者の指示として取得するようにしてもよい。
【０１９４】
ステップＳ６２において、録画再生プログラム５４Ｆは、I/Oインタフェース６９等を介して、電源制御回路７３から、内蔵バッテリ７４に蓄電されている電力量の残量を取得する。
【０１９５】
ステップＳ６３において、録画再生プログラム５４Ｆは、ステップＳ６１の処理で取得した、使用者の指示を基に、省電力再生が指示されたか否かを判定し、省電力再生が指示されたと判定された場合、画像の表示に要する電力をより少なくする旨の指示がなされたので、ステップＳ６５に進む。
【０１９６】
ステップＳ６３において、省電力再生が指示されていない場合、すなわち、完全再生が指示された場合、ステップＳ６４に進み、録画再生プログラム５４Ｆは、内蔵バッテリ７４に蓄電されている電力量の残量が、予め記憶している閾値未満であるか否かを判定する。
【０１９７】
ステップＳ６４において、内蔵バッテリ７４に蓄電されている電力量の残量が、予め記憶している閾値未満であると判定された場合、完全再生を実行することができないか、または、内蔵バッテリ７４の残量として、所定の残量（例えば、CPU５１を実行できる最低限の残量）を残す必要があり、画像の表示に要する電力をより少なくする必要があるので、手続きは、ステップＳ６５に進む。
【０１９８】
ステップＳ６５において、録画再生プログラム５４Ｆは、HDD６７に記録されているAVコンテンツ２０１の相対時刻ファイル２１４から、静止画像に対応する相対時刻を示すデータを読み出す。
【０１９９】
ステップＳ６６において、録画再生プログラム５４Ｆは、HDD６７に記録されているAVコンテンツ２０１の音声データファイル２１３から、音声データを読み出して、音声データを基に、スピーカ６５に音声を出力させる。
【０２００】
なお、録画再生プログラム５４Ｆは、動画像データファイル２１１から画像音声多重化データを読み出し、画像音声多重化データから音声データを分離して、分離された音声データを基に、スピーカ６５に音声を出力させるようにしてもよい。
【０２０１】
ステップＳ６７において、録画再生プログラム５４Ｆは、HDD６７に記録されているAVコンテンツ２０１の静止画像データファイル２１２から、動画像の最初のシーンに対応する静止画像の画像データを読み出して、静止画像の画像データを基に、動画像の最初のシーンに対応する静止画像をLCD７に表示させる。
【０２０２】
ステップＳ６８において、録画再生プログラム５４Ｆは、ステップＳ６５の処理で読み出した静止画像に対応する相対時刻を示すデータ、およびタイマ回路６０から供給された現在時刻または経過時刻のデータを基に、シーンの切り換えの時刻であるか否かを判定し、シーンの切り換えの時刻であると判定された場合、ステップＳ６９に進み、AVコンテンツ２０１の静止画像データファイル２１２から、動画像の次のシーンに対応する静止画像の画像データを読み出して、次の静止画像をLCD７に表示させ、手続きは、ステップＳ７０に進む。
【０２０３】
ステップＳ６８において、シーンの切り換え時刻でないと判定された場合、表示している静止画像を切り換える必要がないので、ステップＳ６９の処理はスキップされ、手続きは、ステップＳ７０に進む。
【０２０４】
なお、ステップＳ６７において、録画再生プログラム５４Ｆが、静止画像データファイル２１２から、全ての静止画像の画像データを読み出して、読み出した画像データをRAM５４に記憶させ、ステップＳ６９において、録画再生プログラム５４Ｆが、RAM５４に記憶されている静止画像の画像データを基に、次の静止画像をLCD７に表示させるようにすれば、HDD６７をいちいち動作させる必要がなくなるので、処理に要する電力量をより少なくすることができるようになる。ステップＳ６６における音声の出力の処理についても同様である。
【０２０５】
また、ステップＳ６７またはステップＳ６９において、読み出された静止画像の画像データが圧縮されているとき、録画再生プログラム５４Ｆは、MPEGデコーダ１６０に画像データを伸張させるか、またはソフトウェアエンコーダにより、画像データを伸張させて、静止画像を表示する。
【０２０６】
ステップＳ７０において、録画再生プログラム５４Ｆは、停止ボタン２４３のクリックに対応する信号、または操作メニューの停止コマンドの選択に対応する信号を基に、再生を終了するか否かを判定し、再生を終了しないと判定された場合、ステップＳ６８に戻り、シーンの切り換えに対応した静止画像の切り換えの処理を繰り返す。
【０２０７】
ステップＳ７０において、再生を終了すると判定された場合、処理は終了する。
【０２０８】
ステップＳ６４において、内蔵バッテリ７４に蓄電されている電力量の残量が、予め記憶している閾値以上であると判定された場合、完全再生が指示され、かつ、内蔵バッテリ７４に蓄電されている電力量の残量が充分であり、画像の表示に要する電力を少なくする必要がないので、ステップＳ７１に進み、完全再生の処理を実行する。すなわち、ステップＳ７１において、録画再生プログラム５４Ｆは、HDD６７に記録されているAVコンテンツ２０１の動画像データファイル２１１から、画像音声多重化データを読み出して、読み出した画像音声多重化データから音声データを抽出する。録画再生プログラム５４Ｆは、抽出された音声データを基に、スピーカ６５に音声を出力させる。
【０２０９】
ステップＳ７２において、録画再生プログラム５４Ｆは、画像音声多重化データから動画像の画像データを抽出し、抽出された動画像の画像データを基に、LCD７に動画像を連続して表示させ、処理は終了する。
【０２１０】
このように、静止画像または動画像を表示するようにした場合には、静止画像および動画像の選択した方を表示することができる。
【０２１１】
また、記録媒体に記録されている、動画像、動画像に同期している音声、動画像若しくは音声における場面の切り換えに対応する静止画像、または動画像の開始時刻を基準とした、静止画像の相対時刻を示す相対時刻データの読み出しを制御し、動画像を表示する場合、動画像を連続して表示させ、静止画像を表示する場合、対応する相対時刻データを基に、静止画像を、次の静止画像が対応する相対時刻がくるまでの時間、表示する動作を繰り返すことで、静止画像を順次表示させるように、表示を制御し、動画像を表示する場合および静止画像を表示する場合、音声の出力を制御するようにした場合には、より安価な機器で、より簡単に、より少ない電力で、動画像のおおまかな内容を使用者に認識させることができる。
【０２１２】
すなわち、完全再生の処理に比較し、省電力再生の処理において、パーソナルコンピュータ１は、より少ないデータをHDD６４から読み出し、また、復号（伸張）に要する演算をより少なくすることができるので、完全再生の処理に比較し、消費する電力（電力量）を少なくすることができる。言い換えれば、省電力再生において、表示装置の一例であるパーソナルコンピュータ１は、データの読み出しのための、記録媒体の駆動に要する電力、および読み出されたデータの処理に要する電力をより少なくすることができる。
【０２１３】
その結果、パーソナルコンピュータ１は、より少ない消費電力（消費電力量）で、使用者に、動画像および音声のおおまかな内容を認識させることができるようになる。
【０２１４】
内蔵バッテリ７４による駆動が必要となるときは、おおむね屋外であり、例えば、移動中などのように、画像を常に注視できない場合が多い。このような場合において、使用者は、画像に比較して音声に重きをおいて、動画像および音声の内容を把握する。
【０２１５】
省電力再生において、パーソナルコンピュータ１は、音声を出力すると共に、シーンに対応する静止画像を順次切り換えて表示するので、画像を注視していなくとも、使用者は、動画像のあらすじを把握することができる。
【０２１６】
一方、録画再生プログラム５４Ｆは、完全再生が指示され、かつ、内蔵バッテリ７４の残量が充分であるとき、動画像を表示すると共に、音声を出力する。
【０２１７】
次に、本発明を適用した記録装置または表示装置の他の例である、カメラ付デジタル携帯電話機６０１の外観構成について説明する。図１８に示すようにカメラ付デジタル携帯電話機６０１は、表示部６１１および本体６１２で構成され、中央のヒンジ部６１３により折り畳み可能に形成されている。
【０２１８】
表示部６１１は、上端左部に引出しまたは収納可能な送受信用のアンテナ６１４を有する。カメラ付デジタル携帯電話機６０１は、アンテナ６１４を介して、固定無線局である、図示せぬ基地局との間で電波を送受信する。
【０２１９】
また、表示部６１１は、上端中央部にほぼ１８０度の角度範囲で回動自在なカメラ部６１５を有する。カメラ付デジタル携帯電話機６０１は、カメラ部６１５のCCDカメラ６１６によって所望の撮像対象を撮像する。
【０２２０】
カメラ部６１５が使用者によってほぼ１８０度回動されて位置決めされた場合、図１９に示すように、表示部６１１は、カメラ部６１５の背面側中央に設けられたスピーカ６１７が正面側に位置する状態となる。これにより、カメラ付デジタル携帯電話機６０１は、通常の音声通話状態に切り換わる。
【０２２１】
さらに、表示部６１１の正面に液晶ディスプレイ６１８が設けられている。液晶ディスプレイ６１８は、メモリカード６２４に記憶されているAVコンテンツ２０１に対応する、動画像若しくは静止画像、電波の受信状態、電池残量、電話帳として登録されている相手先名や電話番号および発信履歴等の他、電子メールの内容、簡易ホームページ、カメラ部６１５のCCDカメラ６１６で撮像した画像などを表示する。
【０２２２】
一方、本体６１２には、その表面に「０」乃至「９」の数字キー、発呼キー、リダイヤルキー、終話及び電源キー、クリアキー及びメールキー等の操作キー６１９が設けられている。操作キー６１９の操作に対応した各種指示が、カメラ付デジタル携帯電話機６０１に入力される。
【０２２３】
また、本体６１２の操作キー６１９の下部にメモボタン６２０およびマイクロフォン６２１が設けられている。カメラ付デジタル携帯電話機６０１は、メモボタン６２０が操作されたとき、通話中の相手の音声を録音する。カメラ付デジタル携帯電話機６０１は、マイクロフォン６２１によって通話時の使用者の音声を集音する。
【０２２４】
さらに、本体６１２の操作キー６１９の上部に回動自在なジョグダイヤル６２２が、本体６１２の表面から僅かに突出した状態で設けられている。カメラ付デジタル携帯電話機６０１は、ジョグダイヤル６２２に対する回動操作に応じて、液晶ディスプレイ６１８に表示されている電話帳リスト若しくは電子メールのスクロール動作、簡易ホームページのページ捲り動作、または画像の送り動作等の種々の動作を実行する。
【０２２５】
例えば、本体６１２は、使用者によるジョグダイヤル６２２の回動操作に応じて液晶ディスプレイ６１８に表示された電話帳リストの複数の電話番号の中から所望の電話番号を選択し、ジョグダイヤル６２２が本体６１２の内部方向に押圧されたとき、選択されている電話番号を確定して、確定した電話番号に対して自動的に発呼処理を行う。
【０２２６】
例えば、液晶ディスプレイ６１８に複数の候補単語が表示されている状態で、ジョグダイヤル６２２が回転操作を受けた場合、複数の候補単語の中から、所望の候補単語が選択され、ジョグダイヤル６２２が本体６１２側に押圧されたとき、選択されている候補単語が確定される。
【０２２７】
なお、本体６１２は、背面側に図示しないバッテリパックが装着されており、終話／電源キーがオン状態になると、バッテリパックから各回路部に対して電力が供給されて動作可能な状態に起動する。バッテリパックは、本体６１２に対して、着脱自在に構成することができる。
【０２２８】
ところで、本体６１２の左側面上部に抜差自在なメモリカード６２４を装着するためのメモリカードスロット６２３が設けられている。カメラ付デジタル携帯電話機６０１は、メモボタン６２０が押下されると、通話中の相手の音声を装着されているメモリカード６２４に記録する。カメラ付デジタル携帯電話機６０１は、使用者の操作に応じて、電子メール、簡易ホームページ、CCDカメラ６１６で撮像した画像、または音声などのコンテンツを装着されているメモリカード６２４に記録する。
【０２２９】
メモリカード６２４は、例えば、メモリースティック（商標）である。メモリースティックは、本願出願人であるソニー株式会社によって開発されたフラッシュメモリカードの一種である。このメモリカード６２４は、縦21.5×横50×厚さ2.8[mm]の小型薄型形状のプラスチックケース内に電気的に書換えや消去が可能な不揮発性メモリであるEEPROM（Electrically Erasable and Programmable Read Only Memory ）の一種であるフラッシュメモリ素子を格納したものであり、１０ピン端子を介して画像や音声、音声等の各種データの書き込み及び読み出しが可能となっている。
【０２３０】
またメモリースティックは、大容量化等による内蔵フラッシュメモリの仕様変更に対しても、使用する機器で互換性を確保することができる独自のシリアルプロトコルを採用し、最大書込速度1.5[MB/S] 、最大読出速度2.45[MB/S]の高速性能を実現していると共に、誤消去防止スイッチを設けて高い信頼性を確保している。
【０２３１】
従って、カメラ付デジタル携帯電話機６０１は、このようなメモリカード６２４を装着可能に構成されているために、メモリカード６２４を介して、他の電子機器との間でデータの共有化を図ることができる。
【０２３２】
メモリカード６２４は、図１１を参照して説明したAVコンテンツを記憶している。カメラ付デジタル携帯電話機６０１は、メモリカード６２４に記憶されているAVコンテンツを基に、動画像を表示すると共に、音声を出力するか、またはシーンの切り換えに対応させて、所定の静止画像を表示すると共に、音声を出力する。
【０２３３】
または、カメラ付デジタル携帯電話機６０１は、メモリカード６２４に、図１１を参照して説明したAVコンテンツを記憶させることができる。
【０２３４】
さらに、本体６１２の左側面下部には、DVCRなどの外部の機器と接続するためのIEEE1394ポートが設けられている。
【０２３５】
図２０に示すように、カメラ付デジタル携帯電話機６０１は、表示部６１１および本体６１２の各部を統括的に制御する主制御部６３１に対して、電源回路部６３２、操作入力制御部６３３、画像エンコーダ６３４、カメラインターフェース部６３５、LCD（Liquid Crystal Display）制御部６３６、画像デコーダ６３７、多重分離部６３８、記憶再生部６４３、変復調回路部６３９、音声コーデック６４０、およびIEEE1394インタフェース６４５がメインバス６４１を介して互いに接続されると共に、画像エンコーダ６３４、画像デコーダ６３７、多重分離部６３８、変復調回路部６３９、音声コーデック６４０、およびIEEE1394インタフェース６４５が同期バス６４２を介して互いに接続されて構成されている。
【０２３６】
電源回路部６３２は、使用者の操作により終話／電源キーがオン状態にされると、バッテリパックから各部に対して電力を供給することによりカメラ付デジタル携帯電話機６０１を動作可能な状態に起動する。
【０２３７】
カメラ付デジタル携帯電話機６０１は、CPU、ROMおよびRAM等でなる主制御部６３１の制御に基づいて、音声通話モードにおいて、マイクロフォン６２１で集音した音声信号を音声コーデック６４０によってデジタル音声データに変換する。カメラ付デジタル携帯電話機６０１は、デジタル音声データを変復調回路部６３９でスペクトラム拡散処理し、送受信回路部６４４でデジタルアナログ変換処理および周波数変換処理を施した後にアンテナ６１４を介して送信する。
【０２３８】
また、カメラ付デジタル携帯電話機６０１は、音声通話モードにおいて、アンテナ６１４で受信した受信信号を増幅して周波数変換処理およびアナログデジタル変換処理を施し、変復調回路部６３９でスペクトラム逆拡散処理し、音声コーデック６４０によってアナログ音声信号に変換する。カメラ付デジタル携帯電話機６０１は、アナログ音声信号に対応する音声をスピーカ６１７に出力させる。
【０２３９】
さらに、カメラ付デジタル携帯電話機６０１は、データ通信モードにおいて、コンテンツを送信する場合、操作キー６１９およびジョグダイヤル６２２の操作によって入力に対応して指定されたコンテンツを主制御部６３１に送出する。
【０２４０】
主制御部６３１は、コンテンツを変復調回路部６３９でスペクトラム拡散処理し、送受信回路部６４４でデジタルアナログ変換処理及び周波数変換処理を施した後にアンテナ６１４を介して基地局へ送信する。
【０２４１】
これに対してカメラ付デジタル携帯電話機６０１は、データ通信モードにおいて、コンテンツを受信する場合、アンテナ６１４を介して基地局から受信した受信信号を変復調回路部６３９でスペクトラム逆拡散処理して、元のコンテンツを復元した後、LCD制御部６３６を介して液晶ディスプレイ６１８にコンテンツに対応するデータを表示する。
【０２４２】
この後、カメラ付デジタル携帯電話機６０１は、使用者の操作に応じて受信したコンテンツを記憶再生部６４３を介してメモリカード６２４に記録することも可能である。
【０２４３】
カメラ付デジタル携帯電話機６０１は、データ通信モードにおいて画像データを送信する場合、CCDカメラ６１６で撮像された画像データをカメラインターフェース部６３５を介して画像エンコーダ６３４に供給する。
【０２４４】
因みにカメラ付デジタル携帯電話機６０１は、画像データを送信しない場合には、CCDカメラ６１６で撮像した画像データをカメラインターフェース部６３５およびLCD制御部６３６を介して液晶ディスプレイ６１８に直接表示することも可能である。
【０２４５】
画像エンコーダ６３４は、CCDカメラ６１６から供給された画像データを、例えば、MPEG（Moving Picture Experts Group ）２またはMPEG４等の所定の符号化方式によって圧縮符号化することにより符号化画像データに変換し、これを多重分離部６３８に送出する。
【０２４６】
このとき同時にカメラ付デジタル携帯電話機６０１は、CCDカメラ６１６で撮像中にマイクロフォン６２１で集音した音声を音声コーデック６４０を介してデジタルの音声データとして多重分離部６３８に送出する。
【０２４７】
多重分離部６３８は、画像エンコーダ６３４から供給された符号化画像データと音声コーデック６４０から供給された音声データとを所定の方式で多重化し、その結果得られる多重化データを変復調回路部６３９でスペクトラム拡散処理し、送受信回路部６４４でデジタルアナログ変換処理及び周波数変換処理を施した後にアンテナ６１４を介して送信する。
【０２４８】
また、多重分離部６３８は、画像エンコーダ６３４から供給された符号化画像データと音声コーデック６４０から供給された音声データとを所定の方式で多重化し、多重化された符号化画像データおよび音声データを記憶再生部６４３に供給する。記憶再生部６４３は、多重分離部６３８から供給された、多重化された符号化画像データおよび音声データを、装着されているメモリカード６２４に記憶させる。
【０２４９】
これに対してカメラ付デジタル携帯電話機６０１は、データ通信モードにおいて、例えば、簡易ホームページ等にリンクされた動画像ファイルのデータを受信する場合、アンテナ６１４を介して基地局から受信した受信信号を変復調回路部６３９でスペクトラム逆拡散処理し、その結果得られる多重化データを多重分離部６３８に送出する。
【０２５０】
多重分離部６３８は、多重化データを符号化画像データと音声データとに分離し、同期バス６４２を介して、符号化画像データを画像デコーダ６３７に供給すると共に、音声データを音声コーデック６４０に供給する。
【０２５１】
画像デコーダ６３７は、符号化画像データをMPEG２またはMPEG４等の所定の符号化方式に対応した復号方式でデコードすることにより再生動画像データを生成し、これをLCD制御部６３６を介して液晶ディスプレイ６１８に供給する。これにより、カメラ付デジタル携帯電話機６０１は、例えば、簡易ホームページにリンクされた動画像ファイルに含まれる動画データを表示する。また、例えば、カメラ付デジタル携帯電話機６０１は、メモリカード６２４に記憶されている、符号化されているAVコンテンツを基に、動画像を表示するか、または静止画像を表示する。
【０２５２】
このとき同時に音声コーデック６４０は、音声データをアナログ音声信号に変換した後、これをスピーカ６１７に供給する。これにより、カメラ付デジタル携帯電話機６０１は、例えば、簡易ホームページにリンクされた動画像ファイルに含まる音声データを再生する。また、例えば、カメラ付デジタル携帯電話機６０１は、メモリカード６２４に記憶されている、符号化されているAVコンテンツを基に、音声を出力する。
【０２５３】
IEEE1394インタフェース６４５は、IEEE1394ポート６２５を介して、外部の機器から供給された画像データまたは音声データを受信し、受信した画像データまたは音声データを、主制御部６３１に供給する。
【０２５４】
図２１は、主制御部６３１が実行するプログラムを説明する図である。
【０２５５】
オペレーティングシステム６６１は、カメラ付デジタル携帯電話機６０１の基本的な動作を制御する。
【０２５６】
録画再生プログラム６６２は、画像エンコーダ６３４に、CCDカメラ６１６で撮像された動画像に対応する画像データ、外部の機器から取得した動画像の画像データ、または受信した動画像の画像データを所定の方式で圧縮符号化させる。
【０２５７】
録画再生プログラム６６２は、音声コーデック６４０に、マイクロフォン６２１で取得された音声に対応する音声データ、外部の機器から取得した音声データ、または受信した音声データを所定の方式で圧縮符号化させる。
【０２５８】
録画再生プログラム６６２は、多重分離部６３８に、圧縮符号化された画像データ、および圧縮符号化された音声データを多重化させる。録画再生プログラム６６２は、多重化された画像データおよび音声データをAVコンテンツとして、装着されているメモリカード６２４の動画像データファイル２１１に記憶させる。
【０２５９】
録画再生プログラム６６２は、音声コーデック６４０に、マイクロフォン６２１で取得された音声に対応する音声データ、外部の機器から取得した音声データ、または受信した音声データを所定の方式で圧縮符号化させ、AVコンテンツとして、動画像データファイル２１１とは別に、装着されているメモリカード６２４の音声データファイル２１３に記憶させる。
【０２６０】
録画再生プログラム６６２は、画像エンコーダ６３４に、動画像または音声のシーンの切り換えに対応する静止画像の画像データを生成させ、生成された静止画像の画像データを、装着されているメモリカード６２４に記憶されているAVコンテンツの静止画像データファイル２１２に格納させる。
【０２６１】
録画再生プログラム６６２は、動画像または音声のシーンの切り換えに対応する相対時刻を、装着されているメモリカード６２４に記憶されているAVコンテンツの相対時刻ファイル２１４に格納させる。
【０２６２】
また、録画再生プログラム６６２は、所定の方式のファイルとしてメモリカード６２４に記憶されているAVコンテンツを、画像デコーダ６３７または音声コーデック６４０に、伸張させて、圧縮されていない所定の画像または音声のデジタルデータを生成し、動画像または静止画像を液晶ディスプレイ６１８に表示させ、音声をスピーカ６５に出力させる。
【０２６３】
録画再生プログラム６６２による録画の処理は、図１５のフローチャートを参照して説明した録画の処理と同様なので、その説明は省略する。
【０２６４】
録画再生プログラム６６２による静止画像の生成の処理は、図１６のフローチャートを参照して説明した処理と同様なので、その説明は省略する。
【０２６５】
録画再生プログラム６６２による再生の処理は、図１７のフローチャートを参照した説明した処理と同様なので、その説明は省略する。
【０２６６】
このように、動画像の画像データおよび音声データを記憶するようにした場合には、画像データおよび音声データを記憶することができる。
【０２６７】
また、動画像の場面の切り換え、および動画像に同期している音声の場面の切り換えを検出し、動画像または音声の場面の切り換えが検出された場合、切り換えられた場面に対応する動画像を基に、静止画像を生成し、動画像の開始時刻を基準とした、動画像における相対時刻であって、生成された静止画像の相対時刻を示す相対時刻データを生成し、静止画像および相対時刻データの記録媒体への記録を制御するようにした場合には、記録した静止画像および相対時刻データにより、より安価な表示装置で、より簡単に、より少ない電力で、動画像のおおまかな内容を使用者に認識させることができる。
【０２６８】
静止画像または動画像を表示するようにした場合には、静止画像および動画像のうちの選択した方を表示することができる。
【０２６９】
また、記録媒体に記録されている、動画像、動画像に同期している音声、動画像若しくは音声における場面の切り換えに対応する静止画像、または動画像の開始時刻を基準とした、静止画像の相対時刻を示す相対時刻データの読み出しを制御し、動画像を表示する場合、動画像を連続して表示させ、静止画像を表示する場合、対応する相対時刻データを基に、静止画像を、次の静止画像が対応する相対時刻がくるまでの時間、表示する動作を繰り返すことで、静止画像を順次表示させるように、表示を制御し、動画像を表示する場合および静止画像を表示する場合、音声の出力を制御するようにした場合には、より安価な機器で、より簡単に、より少ない電力で、動画像のおおまかな内容を使用者に認識させることができる。
【０２７０】
なお、動画像の画像データおよび音声データは、MPEG2方式により、圧縮符号化されると説明したが、MPEG1、MPEG4、ATRAC（adaptive transform acoustic coding）（商標）、またはAAC（Advanced Audio Coder）など他の方式により、圧縮符号化するようにしてもよい。
【０２７１】
また、画像処理回路１１４が、動画像または音声のシーンを検出すると説明したが、CPU５１が、動画像のシーンまたは音声のシーンの切り換えを検出するようにしてもよい。
【０２７２】
なお、画像処理回路１１４が、動画像の画像データから、静止画像の画像データを生成すると説明したが、CPU５１が、動画像の画像データから、静止画像の画像データを生成するようにしてもよい。
【０２７３】
さらに、CPU５１が、いわゆる、ソフトウェアエンコーダまたはソフトウェアデコーダにより、動画像の画像データまたは音声データを圧縮し、伸張するようにしてもよい。
【０２７４】
なお、AVコンテンツは、HDD６７またはメモリカード６２４に記録されると説明したが、HDD６７またはメモリカード６２４に限らず、磁気ディスク（フレキシブルディスクを含む）、光ディスク（CD-ROM(Compact Disc-Read Only Memory)、DVD(Digital Versatile Disc)を含む）、光磁気ディスク（MD(Mini-Disc)（商標）を含む）、または半導体メモリなど、他の記録媒体または他の記憶媒体に記録するようにしてもよい。
【０２７５】
また、パーソナルコンピュータ１は、インターネット８０を介して、図示せぬサーバから、動画像の画像データ、静止画像の画像データ、およびシーンの切り換えの相対時刻を示すデータを受信し、使用者の指示または内蔵バッテリ７４の残量に対応して、受信した動画像の画像データ、静止画像の画像データ、および相対時刻を示すデータを基に、完全再生の処理または省電力再生の処理を実行するようにしてもよい。
【０２７６】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２７７】
この記録媒体は、図７に示すように、コンピュータとは別に、ユーザにプログラムを提供するために配布される、プログラムが記録されている磁気ディスク１２１（フレキシブルディスクを含む）、光ディスク１２２（CD-ROM(Compact Disc-Read Only Memory)、DVD(Digital Versatile Disc)を含む）、光磁気ディスク１２３（ＭＤ(Mini-Disc)（商標）を含む）、若しくは半導体メモリ１２４などよりなるパッケージメディアにより構成されるだけでなく、コンピュータに予め組み込まれた状態でユーザに提供される、プログラムが記録されているROM７０や、HDD６７などで構成される。
【０２７８】
なお、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【０２７９】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２８０】
【発明の効果】
本発明の記録装置および方法、並びに第１のプログラムによれば、動画像および音声を記録することができる。
【０２８１】
また、本発明の記録装置および方法、並びに第１のプログラムによれば、より安価な表示装置で、より簡単に、より少ない電力で、動画像のおおまかな内容を使用者に認識させることができるようになる。
【０２８２】
本発明の表示装置および方法、並びに第２のプログラムによれば、画像を表示することができる。
【０２８３】
また、本発明の表示装置および方法、並びに第２のプログラムによれば、より安価な機器で、より簡単に、より少ない電力で、動画像のおおまかな内容を使用者に認識させることができるようになる。
【図面の簡単な説明】
【図１】パーソナルコンピュータ１の外観斜視図である。
【図２】パーソナルコンピュータ１の平面図である。
【図３】パーソナルコンピュータ１の左側面図である。
【図４】パーソナルコンピュータ１の右側面図である。
【図５】パーソナルコンピュータ１の正面図である。
【図６】パーソナルコンピュータ１の底面図である。
【図７】パーソナルコンピュータ１の一実施の形態の構成を示す図である。
【図８】画像処理回路１１４の構成の一例を示す図である。
【図９】パーソナルコンピュータ１が実行するアプリケーションプログラムを説明する図である。
【図１０】パーソナルコンピュータ１が実行するアプリケーションプログラム、ミドルウェア、およびドライバ類の構成を説明する図である。
【図１１】  AVコンテンツの構成の例を説明する図である。
【図１２】パーソナルコンピュータ１のLCD７に表示される画面の例を説明する図である。
【図１３】パーソナルコンピュータ１のLCD７に表示される画面の例を説明する図である。
【図１４】パーソナルコンピュータ１のLCD７に表示される画面の例を説明する図である。
【図１５】録画の処理を説明するフローチャートである。
【図１６】動画像および音声に対応する静止画像の生成の処理を説明するフローチャートである。
【図１７】再生の処理を説明するフローチャートである。
【図１８】カメラ付デジタル携帯電話機６０１の外観構成について説明する図である。
【図１９】カメラ付デジタル携帯電話機６０１の外観構成について説明する図である。
【図２０】カメラ付デジタル携帯電話機６０１の機能の構成について説明する図である。
【図２１】主制御部６３１が実行するプログラムを説明する図である。
【符号の説明】
１  パーソナルコンピュータ，  ３  表示部，  ７  LCD，  ５１  CPU，  ５４  RAM，  ５４Ｆ  録画再生プログラム，  ６５  スピーカ，  ７３  電源制御回路，  ７４  内蔵バッテリ，  １１４  画像処理回路，  １２１  磁気ディスク，  １２２  光ディスク，  １２３  光磁気ディスク，  １２４  半導体メモリ，  １５８  MPEGエンコーダ，  １６０  MPEGデコーダ，  ２１１  動画像データファイル，  ２１２  静止画像データファイル，  ２１３  音声データファイル，  ２１４  相対時刻ファイル，  ６０１  カメラ付デジタル携帯電話機，  ６１１  表示部，  ６１８  液晶ディスプレイ，  ６２４  メモリカード，６３１  主制御部，  ６３４  画像エンコーダ，  ６３７  画像デコーダ，  ６３８  多重分離部，  ６４０  音声コーデック，  ６６２  録画再生プログラム
【図１】
0003888182.tif 000002
【図２】
0003888182.tif 000003
【図３】
0003888182.tif 000004
【図４】
0003888182.tif 000005
【図５】
0003888182.tif 000006
【図６】
0003888182.tif 000007
【図７】
0003888182.tif 000008
【図８】
0003888182.tif 000009
【図９】
0003888182.tif 000010
【図１０】
0003888182.tif 000011
【図１１】
0003888182.tif 000012
【図１２】
0003888182.tif 000013
【図１３】
0003888182.tif 000014
【図１４】
0003888182.tif 000015
【図１５】
0003888182.tif 000016
【図１６】
0003888182.tif 000017
【図１７】
0003888182.tif 000018
【図１８】
0003888182.tif 000019
【図１９】
0003888182.tif 000020
【図２０】
0003888182.tif 000021
【図２１】
0003888182.tif 000022